(57)【要約】  本発明は、問題遺伝子の改変を含む新規な非ヒトトランスジェニック動物を作製するための組成物及び方法を提供する。前記トランスジェニック動物は、該トランスジェニック動物において機能的に破壊されている問題遺伝子の産物に対して特異的な抗体、例えばヒトモノクローナル抗体を産生し得る。更に、本発明の方法及び組成物は疾患の治療、診断及びイメージングにおいて使用するのに適している。【特許請求の範囲】
【請求項１】
（ａ）少なくとも１つの不活化された内在性免疫グロブリン座、（ｂ）機能的結合分子として発現され得るヒト免疫グロブリンの少なくとも一部をコードする核酸、及び（ｃ）対応する遺伝子産物がもはや産生されないような問題遺伝子の改変を含み、前記遺伝子産物に接すると該遺伝子産物に結合し得る機能的ヒト免疫グロブリンまたはその一部を発現し得るトランスジェニックマウス。
【請求項２】
該マウスが、該遺伝子産物のヒトホモログに接すると該遺伝子産物に結合し得る機能的ヒト免疫グロブリンまたはその一部を発現し得ることを特徴とする請求の範囲第１項に記載のトランスジェニックマウス。
【請求項３】
該内在性免疫グロブリン座が、内在性重鎖、内在性軽鎖、または内在性重鎖と内在性軽鎖の両方を含むことを特徴とする請求の範囲第１項または第２項に記載のトランスジェニックマウス。
【請求項４】
該ヒト免疫グロブリンが、ヒト重鎖、ヒト軽鎖、及びヒト重鎖とヒト軽鎖の両方からなる群から選択されることを特徴とする請求の範囲第１項または第２項に記載のトランスジェニックマウス。
【請求項５】
（ａ）不活化された内在性重鎖及び軽鎖免疫グロブリン座、（ｂ）機能的結合分子として発現され得るヒト免疫グロブリンの重鎖及び軽鎖をコードする核酸、及び（ｃ）対応する遺伝子産物がもはや産生されないような問題遺伝子の改変を含み、前記遺伝子産物に接すると該遺伝子産物に結合し得る機能的ヒト免疫グロブリンとしてヒト軽鎖及びヒト重鎖を発現し得るトランスジェニックマウス。
【請求項６】
（ａ）不活化された内在性重鎖及び軽鎖免疫グロブリン座、（ｂ）機能的結合分子として発現され得るヒト免疫グロブリンの重鎖及び軽鎖をコードする核酸、及び（ｃ）対応する遺伝子産物がもはや産生されないような問題遺伝子の改変を含み、前記遺伝子産物のヒトホモログに接すると該遺伝子産物に結合し得る機能的ヒト免疫グロブリンとしてヒト軽鎖及びヒト重鎖を発現し得るトランスジェニックマウス。
【請求項７】
該免疫グロブリンが、ＩｇＧ、ＩｇＭまたはＩｇＡであることを特徴とする請求の範囲第１項、第５項または第６項に記載のトランスジェニックマウス。
【請求項８】
該問題遺伝子の改変が、自然に発生しているかまたは遺伝子工学的に操作される破壊または切除であることを特徴とする請求の範囲第１項、第５項または第６項に記載のトランスジェニックマウス。
【請求項９】
該問題遺伝子の遺伝子産物が、ＩＦＮ、ＴＮＦ、インターロイキン、ＩＰ−１０、ＰＦ４、ＧＲＯ、９Ｅ３、ＥＭＡＰ−ＩＩ、ＣＳＦ、ＦＧＦ及びＰＤＧＦからなる群から選択される分泌タンパク質であることを特徴とする請求の範囲第８項に記載のトランスジェニックマウス。
【請求項１０】
インターロイキンがＩＬ−１α、ＩＬ−１β、ＩＬ−１２またはＩＬ−１８であることを特徴とする請求の範囲第９項に記載のトランスジェニックマウス。
【請求項１１】
請求の範囲第１項、第５項または第６項のトランスジェニックマウスから誘導される免疫グロブリンまたはその一部。
【請求項１２】
該免疫グロブリンが、モノクローナル抗体であることを特徴である請求の範囲第１１項に記載の免疫グロブリンまたはその一部。
【請求項１３】
請求の範囲第１項、第５項または第６項のトランスジェニックマウスから誘導される免疫グロブリンまたはその一部をコードする核酸。
【請求項１４】
ハイブリドーマの製造に使用するのに適した請求の範囲第１項、第５項または第６項のトランスジェニックマウスから誘導される免疫細胞。
【請求項１５】
請求の範囲第１４項に記載の免疫細胞から誘導される免疫グロブリンをコードする核酸。
【請求項１６】
請求の範囲第１項、第５項または第６項のトランスジェニックマウスから誘導される胚幹細胞。
【請求項１７】
請求の範囲第１項、第５項または第６項のトランスジェニックマウスから誘導される子孫。
【請求項１８】
トランスジェニックマウスの作製方法であって、該トランスジェニックマウスは、遺伝子産物に接すると該遺伝子産物に結合し得る免疫グロブリンまたはその一部を発現する能力を有し、
該方法は、
（ａ）問題遺伝子の内在性遺伝子産物がもはや産生されないようにマウスの内在性遺伝子が改変されているトランスジェニックマウス胚幹細胞を得るステップ、及び
（ｂ）前記胚幹細胞からトランスジェニックマウスを作製するステップ
を含む、前記方法。
【請求項１９】
トランスジェニックマウスの作製方法であって、該トランスジェニックマウスは、２つ以上の遺伝子産物に接すると該遺伝子産物に結合し得る免疫グロブリンまたはその一部を発現する能力を有し、
該方法は、
（ａ）１つ以上の問題遺伝子の内在性遺伝子産物がもはや産生されないように２つ以上のマウスの問題遺伝子が改変されているトランスジェニックマウス胚幹細胞を得るステップ、及び
（ｂ）前記トランスジェニックマウス胚幹細胞からトランスジェニックマウスを作製するステップ
を含む、前記方法。
【請求項２０】
該遺伝子産物がヒトホモログであり、該免疫グロブリンが前記ヒトホモログに結合し得る機能的免疫グロブリンであることを特徴とする請求の範囲第１８項または第１９項に記載の方法。
【請求項２１】
該トランスジェニックマウスが、遺伝子産物のヒトホモログに接するとマウスが該遺伝子産物のヒトホモログに結合し得る機能的ヒト免疫グロブリンまたはその一部を発現し得るようにヒト免疫グロブリン遺伝子に対してもトランスジェニックであることを特徴とする請求の範囲第１８項または第１９項に記載の方法。
【請求項２２】
該トランスジェニックマウスの免疫系を切除するステップ及びヒト免疫グロブリンを発現し得る骨髄細胞を移植するステップを含むことを特徴とする請求の範囲第１８項または第１９項に記載の方法。
【請求項２３】
該骨髄細胞が、ヒト免疫グロブリン遺伝子に対してトランスジェニックなマウスから得られることを特徴とする請求の範囲第２２項に記載の方法。
【請求項２４】
子孫の作製方法であって、該子孫は、遺伝子産物に接すると該遺伝子産物に結合し得るヒト免疫グロブリンまたはその一部を発現する能力を有し、
該方法は、
（ａ）ヒト免疫グロブリン遺伝子を有する第１トランスジェニックマウスを得るステップ、
（ｂ）１つ以上の問題遺伝子の内在性遺伝子産物がもはや産生されないように１つ以上の動物の問題遺伝子が改変されている第２トランスジェニックマウスを得るステップ、及び
（ｃ）ステップ（ａ）のマウスとステップ（ｂ）のマウスを交配させ、子孫を得るステップ
を含む、前記方法。
【請求項２５】
該遺伝子産物がヒトホモログであり、該免疫グロブリンが前記ヒトホモログに結合し得る機能的ヒト免疫グロブリンであることを特徴とする請求の範囲第２４項に記載の方法。
【請求項２６】
トランスジェニックマウスの作製方法であって、該トランスジェニックマウスは、遺伝子産物に接すると該遺伝子産物に結合し得るヒト免疫グロブリンまたはその一部を発現する能力を有し、
該方法は、
（ａ）ヒト免疫グロブリン遺伝子に対してトランスジェニックなマウス胚幹細胞を得るステップ、
（ｂ）１つ以上の問題遺伝子の内在性遺伝子産物がもはや産生されないように前記胚幹細胞中の１つ以上の問題遺伝子を改変するステップ、及び
（ｃ）前記胚幹細胞からトランスジェニックマウスを得るステップ
を含む、前記方法。
【請求項２７】
該遺伝子産物がヒトホモログであり、該免疫グロブリンが前記ヒトホモログに結合し得る機能的ヒト免疫グロブリンであることを特徴とする請求の範囲第２６項に記載の方法。
【発明の詳細な説明】
【技術分野】
【０００１】
本明細書中で引用されている特許明細書、特許出願明細書及び参考文献はすべて援用により本明細書に含まれるとする。
【０００２】
抗体が治療薬を開発するための特異的で安全且つ迅速な手段を提供するという考えは非常に注目されている。
【背景技術】
【０００３】
殆ど完成したヒトゲノムプロジェクトで、多数の新規な抗体標的が利用可能である。モノクローナル抗体（ｍＡｂ）を作成するための十分に確立された諸方法も利用可能である。前記方法には、インビトロ（ファージディスプレイ、酵母ディスプレイ、ウイルスディスプレイ等）方法及びインビボ（標的抗原で動物を免疫化後典型的なハイブリドーマを行う）方法が含まれる。治療用抗体は完全ヒト、ヒト化またはＣＤＲグラフトされていてもよい。これらの抗体の中で、完全ヒト治療用抗体はより弱い免疫原性及び長い半減期を有しているので最も有望であると考えられる。
【０００４】
抗体をコードするヒト遺伝子を有するトランスジェニック（Ｔｇ）マウスにより、完全ヒトｍＡｂを迅速に作成する方法が得られる。しかしながら、前記方法の重大な欠点の１つは、多数のタンパク質がヒト及びげっ歯類の間で構造的にも機能的にも高度に保存されていることである。保存タンパク質の場合、産生される大抗体の部分がヒト及びマウスの間で似ていないタンパク質の領域（抗原決定基）に対するものである。前記領域は、治療用中和ｍＡｂを生ずる場合も生じない場合もある。
【発明の開示】
【発明が解決しようとする課題】
【０００５】
本発明は、問題遺伝子の産物は発現しないような問題遺伝子の改変を含む非ヒトトランスジェニック動物を提供する。動物中に問題遺伝子の産物が存在しないことにより、問題遺伝子（ＧＯＩ）の産物に接したときにその動物をして免疫グロブリン分子を産生するようにする。従って、本発明は、非ヒト動物において自己と認識され得、よって非免疫原性である高度に保存されるタンパク質（例えば、問題遺伝子）に対する抗体の産生の問題が解消された免疫グロブリン分子の作成方法を提供する。
【課題を解決するための手段】
【０００６】
好ましい実施態様（１）として、本発明は、対応する遺伝子産物がもはや産生されないような問題遺伝子（ＧＯＩ）の変異を含む非ヒトトランスジェニック動物を提供し、前記動物は該遺伝子産物に接すると該遺伝子産物に結合し得る免疫グロブリン分子を発現し得る。実施態様（２）では、動物はＧＯＩ産物のヒトホモログに結合し得る機能的免疫グロブリンを発現し得る。実施態様（３）では、非ヒトトランスジェニック動物はヒト免疫グロブリンに対してもトランスジェニックであり、従ってＧＯＩ産物のヒトホモログに結合し得る機能的ヒト免疫グロブリンを発現し得る。実施態様（４）では、免疫グロブリンはヒト重鎖及び／またはヒト軽鎖であり得る。実施態様（５）では、少なくとも１つの内在性免疫グロブリン座が非ヒトトランスジェニック動物において不活化されている。
【０００７】
別の好ましい実施態様（６）として、本発明は、（ａ）少なくとも１つの不活化された内在性免疫グロブリン座、（ｂ）機能的結合分子として発現され得るヒト免疫グロブリンの少なくとも一部をコードする核酸、及び（ｃ）対応する遺伝子産物がもはや産生されないような問題遺伝子の改変を含む非ヒトトランスジェニック動物を提供する。前記動物は該遺伝子産物に接すると該遺伝子産物に結合し得る機能的ヒト免疫グロブリンを発現し得る。実施態様（７）では、内在性免疫グロブリン座は内在性ヒト重鎖及び／または内在性ヒト軽鎖からなる。実施態様（８）では、非ヒト動物はヒト重鎖及び／またはヒト軽鎖の核酸を含む。
【０００８】
好ましい実施態様（９）として、本発明は、（ａ）不活化された内在性重鎖及び軽鎖免疫グロブリン座、（ｂ）機能的抗体を発現し得るヒト免疫グロブリンの重鎖及び軽鎖をコードする核酸、及び（ｃ）対応する遺伝子産物がもはや産生されないような問題遺伝子の改変を含む非ヒトトランスジェニック動物を提供する。前記動物は該遺伝子産物に接すると該遺伝子産物に結合し得る機能的ヒト免疫グロブリンとしてヒト軽鎖及びヒト重鎖を発現し得る。実施態様（１０）では、遺伝子産物のヒトホモログに接すると実施態様（６）及び（９）の非ヒトトランスジェニック動物は該遺伝子産物に結合し得る機能的ヒト免疫グロブリンを発現し得る。
【０００９】
実施態様（１１）として、上記したすべての実施態様の非ヒトトランスジェニック動物により発現される抗体はＩｇＧ、ＩｇＭまたはＩｇＡである。実施態様（１２）では、上記したすべての実施態様の動物におけるＧＯＩの改変は遺伝子の自然に発生している破壊かまたは遺伝子工学的に操作された破壊または切除であり得る。実施態様（１３）では、上記したすべての実施態様におけるＧＯＩは翻訳後修飾により更にグリコシル化、リン酸化等されている場合もあるタンパク質、ポリペプチドまたはペプチドであり得る。実施態様（１４）では、前記タンパク質、ポリペプチドまたはペプチドは分泌タンパク質または表面受容体である。実施態様（１５）によれば、分泌タンパク質はインターフェロン（ＩＦＮ）、腫瘍壊死因子（ＴＮＦ）、インターロイキン（ＩＬ）、ＩＰ−１０、ＰＦ４、ＧＲＯ、９Ｅ３、ＥＭＡＰ−ＩＩ、コロニー刺激因子（ＣＳＦ）、線維芽細胞増殖因子（ＦＧＦ）及び血小板由来増殖因子（ＰＤＧＦ）のようなサイトカイン類から選択され得る。更に、実施態様（１６）では、インターロイキンはＩＬ−１α、ＩＬ−１β、ＩＬ−１２またはＩＬ−１８であり得る。好ましい実施態様では、内在性ＧＯＩはＩＬ−１８遺伝子である。
【００１０】
実施態様（１７）では、ＧＯＩの遺伝子産物に結合し得る抗体及び抗体断片は上記したすべての実施態様の非ヒトトランスジェニック動物から誘導され得る。実施態様（１８）では、抗体をコードする核酸は非ヒトトランスジェニック動物から誘導され得る。実施態様（１９）では、抗体を発現するＢ−細胞は非ヒトトランスジェニック動物から誘導され、その後遺伝子産物に結合し得るモノクローナル抗体を発現し得るハイブリドーマを誘導するために使用される。実施態様（２０）では、胚幹細胞は上記した実施態様の非ヒトトランスジェニック動物から誘導され得る。実施態様（２１）では、子孫は上記した実施態様の非ヒトトランスジェニック動物からも誘導され得る。
【００１１】
好ましい実施態様（２２）として、本発明は、内在性遺伝子の産物がもはや産生されないように問題内在性遺伝子が改変されている胚幹細胞からの非ヒトトランスジェニック動物の作製方法を提供し、前記動物は遺伝子産物に接すると該遺伝子産物に結合し得る抗体を発現し得る。
【００１２】
実施態様（２３）として、本発明は、複数の内在性遺伝子の産物がもはや産生されないように問題内在性遺伝子が改変されている胚幹細胞からのトランスジェニック動物の作製方法を提供し、前記動物は遺伝子産物に接すると該遺伝子産物に結合し得る抗体を発現し得る。実施態様（２４）では、実施態様（２２）及び（２３）の遺伝子産物はヒトホモログである。実施態様（２５）では、実施態様（２２）及び（２３）の非ヒトトランスジェニック動物は、遺伝子産物のヒトホモログに接すると該ヒト遺伝子産物に結合し得る機能的ヒト抗体を発現し得るようにヒト免疫グロブリン遺伝子に対してトランスジェニックであり得る。実施態様（２６）では、実施態様（２２）及び（２３）の非ヒトトランスジェニック動物の免疫系を切除し、その後ヒト免疫グロブリンを発現し得る骨髄細胞を移植し得る。
【００１３】
好ましい実施態様（２７）として、本発明は、ヒト免疫グロブリン遺伝子に対してトランスジェニックな非ヒト動物を１つ以上の問題遺伝子の内在性遺伝子産物がもはや産生されないように動物の問題遺伝子の１つ以上が改変されている非ヒトトランスジェニック動物と交配させることを含む子孫の作製方法を提供し、前記子孫は該遺伝子産物またはそのヒトホモログに接するとは該遺伝子産物に結合し得るヒト免疫グロブリンを発現し得る。
【００１４】
好ましい実施態様（２８）として、本発明は、ヒト免疫グロブリン遺伝子を既に有している胚幹細胞からの非ヒトトランスジェニック動物の作製方法を提供し、１つ以上の問題内在性遺伝子の遺伝子産物がもはや産生されないように１つ以上の内在性遺伝子が改変されており、前記動物は１つ以上の該遺伝子産物またはそのヒトホモログに接すると該遺伝子産物に結合し得るヒト免疫グロブリンを発現し得る。好ましい実施態様において、上記したすべての実施態様においてＧＯＩはタンパク質、ポリペプチドまたはペプチドであり得る。更に、これらのタンパク質、ポリペプチドまたはペプチドは分泌タンパク質または表面受容体であり得る。より好ましい実施態様では、分泌タンパク質はインターフェロン（ＩＦＮ）、腫瘍壊死因子（ＴＮＦ）、インターロイキン（ＩＬ）、ＩＰ−１０、ＰＦ４、ＧＲＯ、９Ｅ３、ＥＭＡＰ−ＩＩ、コロニー刺激因子（ＣＳＦ）、線維芽細胞増殖因子（ＦＧＦ）及び血小板由来増殖因子（ＰＤＧＦ）のようなサイトカイン類から選択され得る。最も好ましい実施態様では、インターロイキンはＩＬ−１α、ＩＬ−１β、ＩＬ−１２またはＩＬ−１８であり得る。抗原の組合せを認識し得る複数の特異性を有する抗体を得る上記実施態様では、前記した抗原の組合せは２つ以上の問題遺伝子の遺伝子産物を含み得る。
【００１５】
実施態様（２９）では、上記したすべての実施態様の非ヒトトランスジェニック動物はマウス、ラット、家兎またはヤギであり得る。最も好ましい動物はマウスである。
【００１６】
実施態様（３０）として、本発明は、治療を要する患者に対して実施態様（２０）のモノクローナル抗体を投与することを含む前記患者における疾患の治療方法を提供する。実施態様（３１）として、本発明は、患者からのサンプル中の抗原を検出するために実施態様（２０）のモノクローナル抗体を使用することを含む疾患の診断方法を提供する。実施態様（３２）として、本発明は、患者に対して実施態様（２０）のモノクローナル抗体を投与し、疾患に関連する特定抗原に対するモノクローナル抗体の結合をイメージングすることを含む疾患の有無の検出方法を提供する。
【００１７】
好ましい実施態様（３３）として、本発明は、問題遺伝子の遺伝子産物に結合し得、生物ライブラリーから誘導される核酸によりコードされる結合分子の作成方法を提供し、各生物はその表面で免疫グロブリンを提示し且つ問題抗原の遺伝子で免疫化されていない上記したすべての実施態様の非ヒトトランスジェニック動物に由来する配列を有する核酸を含むが血清中に存在する問題抗原の遺伝子に特異的な免疫グロブリン分子を持たず、前記生物の表面で提示される免疫グロブリンの成分部分であるポリペプチド鎖をコードする。その後、遺伝子産物と結合させることにより該遺伝子産物に対する結合特異性を有する１つ以上の免疫グロブリンを選択する。実施態様（３４）として、本発明は、ファージ、酵母またはウイルス系のディファレンシャルディスプレイを用いる免疫グロブリンの結合パートナーのスクリーニング方法を提供する。別の実施態様（３５）として、本発明は、ファージ、酵母またはウイルス系のディファレンシャルディスプレイを用いる免疫グロブリンの結合分子の作成方法を提供する。
【００１８】
実施態様（３６）として、本発明は、
（ａ）上記したすべての実施態様の非ヒトトランスジェニック動物からの組織サンプルから抗原結合タンパク質をコードするＤＮＡを単離するステップ；
（ｂ）前記ＤＮＡの保存領域に対して特異的なプライマーを用いて特定の遺伝子配列を増幅させるステップ；
（ｃ）大部分の免疫グロブリン重鎖遺伝子を有するフレームワーク抗体発現ベクターの可変領域に前記の増幅ＤＮＡを挿入するステップ；及び
（ｄ）ステップ（ｃ）のベクターを免疫グロブリン軽鎖遺伝子を含むベクターを用いて発現させ、そのベクターを細胞にトランスフェクトして、軽鎖免疫グロブリン及び重鎖免疫グロブリンの両方を産生する細胞ライブラリーを構築するステップ；
を実施することによる結合タンパク質ファミリーをコードし得るＤＮＡライブラリーの構築方法を提供する。
【００１９】
上記したトランスジェニック動物及び方法の作用効果として、特定の問題遺伝子に特異的な完全ヒト免疫グロブリン分子を作成し得ることが挙げられる。本発明は更に、非ヒトトランスジェニック動物における免疫グロブリン分子の作成方法及び前記分子の使用方法を提供する。
【発明を実施するための最良の形態】
【００２０】
本発明の他の特徴及び作用効果は請求の範囲及び以下の詳細説明から明らかであろう。
【００２１】
（発明の詳細説明）
ヒト及び動物は本来すべての自己タンパク質に対して耐性である。自己タンパク質を認識する免疫細胞は発達中に欠失されるので、この耐性が生ずる。更に、末梢耐性メカニズムが自己反応性免疫細胞のチェックにおいて保持されている。この自己タンパク質に対する免疫耐性は、Ｂ細胞及びＴ細胞の抗体レパートリーを、非同一性の領域に対してのみ抗体が生じるように、動物中の高度に相同性のタンパク質に限定するのに役立つ。しかしながら、動物が問題タンパク質を欠いているならば、タンパク質に対する耐性を生ぜず、全タンパク質に対して免疫応答を与え得る。従って、前記動物は問題タンパク質に対する免疫応答を生じさせる理想的な手段を提供し、全タンパク質に対する有効な高親和性モノクローナル抗体が得られる。特定タンパク質を欠く動物は標的遺伝子破壊／欠失方法により作製され得る。前記目的にはマウスが好ましい動物である。
【００２２】
本発明は少なくとも部分的に、産物が産生されないような問題遺伝子の改変を含む新規な非ヒトトランスジェニック動物の作製に基づく。好ましい実施態様では、前記動物は内在性Ｉｇ遺伝子を欠き、ヒトＩｇ導入遺伝子を発現する。この新規な非ヒトトランスジェニック動物は例えば、動物において機能的に破壊された問題遺伝子の産物に対して特異的な抗体（例えば、ヒト抗体）を産生し得る。
【００２３】
本明細書中、「問題遺伝子（gene of interest；ＧＯＩ）」は非ヒト動物中の内在性遺伝子を指す。ＧＯＩは、ＧＯＩの正常な機能が妨げられるように機能的に破壊されていてもよい。
【００２４】
本明細書中、「機能的に破壊」、「問題遺伝子の改変」及び「不活化」は、例えば正常Ｉｇ遺伝子及び／または問題産物の遺伝子の発現を妨げたり、正常量のＩｇ遺伝子及び／または問題産物の遺伝子の発現を妨げるような遺伝子の正常な機能を妨げる変異を有する遺伝子を指す。機能的破壊を起こす変異は、コードされる内在性ＧＯＩ及び／または内在性Ｉｇ遺伝子産物のアミノ酸配列を改変させる挿入、欠失または点変異であり得る。
【００２５】
「実質的に低下または不在」は、動物の細胞において正常な内在性ＧＯＩ産物及び／または内在性Ｉｇ遺伝子産物が本質的に検出不能な量しか産生されないことを意味する。この種の変異は当業界では「ヌル突然変異」とも称され、ヌル突然変異を有する動物を「ノックアウト動物」と称される。
【００２６】
本明細書中、「トランスジェニック動物」は、動物または親（例えば、未発達）段階の動物の祖先に導入した導入遺伝子を含む細胞を有する動物を指す。「導入遺伝子」は、トランスジェニック動物に発達する細胞のゲノムに組み込まれ、トランスジェニック動物の１つ以上の細胞型または組織においてコード化遺伝子産物を発現させるように成熟動物のゲノム中に残っているＤＮＡである。好ましい実施態様では、導入遺伝子はヒトＩｇＧ遺伝子である。
【００２７】
哺乳動物免疫系には、全部で数千億の異なる抗体特異性からなる抗体レパートリーを発現するＢリンパ球が含まれる。特定抗原に対する正常な「免疫応答」は抗原に特異的に結合する１つ以上の抗体を前記レパートリーから選択することを含み、免疫応答の成功は少なくとも部分的に刺激抗原を特異的に認識し、抗体の環境中の他の分子を無視する抗体の能力に基づいている。
【００２８】
本明細書中、「免疫グロブリン」及び「抗体」は、ジスルフィド結合により相互に連結されている４本のポリペプチド鎖、すなわち２本の重（Ｈ）鎖及び２本の軽（Ｌ）鎖からなる免疫グロブリン分子を指すと解されたい。本明細書中、「重鎖」は重鎖可変領域（本明細書ではＨＣＶＲまたはＶＨと省略する）及び重鎖定常領域からなる抗体の領域である。重鎖定常領域は３つのドメイン、すなわちＣＨ１、ＣＨ２及びＣＨ３から構成されている。本明細書中、「軽鎖」は軽鎖可変領域（本明細書ではＬＣＶＲまたはＶＬと省略する）及び軽鎖定常領域からなる抗体の領域である。軽鎖定常領域は１つのドメイン、すなわちＣＬから構成されている。ＶＨ及びＶＬ領域は更に、相補性決定領域（ＣＤＲ）と称される超可変性領域とフレームワーク領域（ＦＲ）と称されるより保存性の領域に細分され、これらの両領域は分散している。ＶＨ及びＶＬ領域はそれぞれ３つのＣＤＲ及び４つのＦＲから構成され、これらはアミノ末端からカルボキシ末端に向かってＦＲ１、ＣＤＲ１、ＦＲ２、ＣＤＲ２、ＦＲ３、ＣＤＲ３及びＦＲ４の順で配置されている。
【００２９】
本明細書中、「モノクローナル抗体」はハイブリドーマ由来の抗体、例えば一般的なＫｏｈｌｅｒ及びＭｉｌｓｔｅｉｎハイブリドーマ法のようなハイブリドーマ法により生成したハイブリドーマより分泌される抗体を指す。モノクローナル抗体は１つの抗原に対して特異的であっても、２つ以上の抗原に結合し得るものでもよい。本発明のハイブリドーマ由来の二重特異性抗体は２つ以上の抗原に対して抗原特異性を有しているが、これらもモノクローナル抗体と称される。
【００３０】
本明細書中、「ヒト抗体」は、例えばＫａｂａｔら（Ｋａｂａｔら，「免疫学的に興味深いタンパク質の配列(Sequences of Proteins of Immunological Interest)」，第５版，米国健康保険部門，ＮＩＨ  Ｐｕｂｌｉｃａｔｉｏｎ  Ｎｏ．９１−３２４２（１９９１年）参照）に記載されているヒト生殖系列免疫グロブリン配列に対応するかまたは誘導される定常領域と可変領域を有する抗体を指す。しかしながら、本発明のヒト抗体は、例えばＣＤＲ、特にＣＤＲ３中にヒト生殖細胞系免疫グロブリン配列（例えば、インビトロではランダムまたは部位特異的突然変異、インビボでは体細胞突然変異により導入される突然変異）によりコードされないアミノ酸残基を含み得る。
【００３１】
本発明の組換えヒト抗体は可変領域を有し、ヒト生殖細胞系免疫グロブリン配列（Ｅ．Ａ．Ｋａｂａｔら，「免疫学的に興味深いタンパク質の配列(Sequences of Proteins of Immunological Interest)」，第５版，米国健康保険部門，ＮＩＨ  Ｐｕｂｌｉｃａｔｉｏｎ  Ｎｏ．９１−３２４２（１９９１年）参照）から誘導される定常領域を含んでいてもよい。しかしながら、幾つかの実施態様では、前記の組換えヒト抗体はインビトロ突然変異を受けたり、ヒトＩｇ配列に対してトランスジェニックな動物を使用するときにはインビボ体細胞突然変異を受け、よって組換え抗体のＶＨ及びＶＬ領域のアミノ酸配列は、ヒト生殖細胞系から誘導され且つヒト生殖細胞系に関連するが、インビボでヒト抗体生殖細胞系レパートリー中に通常存在し得ない配列である。しかしながら、幾つかの態様では、前記組換え抗体は選択突然変異及び／または逆突然変異の結果である。
【００３２】
「キメラ抗体」は、１つの種由来の重鎖及び軽鎖可変領域配列及び別の種由来の定常領域配列を含む抗体、例えばマウスの重鎖及び軽鎖可変領域配列とこれに結合してヒト定常域を有する抗体を指す。
【００３３】
本明細書中、「単離抗体」は、異なる抗原特異性を有する他の抗体を実質的に含まない抗体を指し、例えばＧＯＩにより発現するペプチドまたはタンパク質に特異的に結合する単離抗体はＧＯＩ産物以外の抗原に特異的に結合する抗体を実質的に含まない。しかしながら、ＧＯＩ産物に特異的に結合する単離抗体は他の種由来のＧＯＩコード分子のような他の抗原と交差反応してもよい。更に、単離抗体は他の細胞物質及び／または化学物質を実質的に含んでいなくてもよい。
【００３４】
本明細書中、「機能的免疫グロブリン」は、抗原（例えば、ＧＯＩ産物）を中和し得る抗体を指し、抗原及び抗原の機能を変化させる抗原中の他の変化に対するアゴニストまたはアンタゴニストとして作用する。
【００３５】
本明細書中、「細胞」は増殖や再生のような代謝プロセスを含めた生命維持プロセスを独立的に実施し得る最小構造を指す。本明細書中、「細胞」には細菌、酵母、真菌、植物または動物細胞が含まれる。
【００３６】
本明細書中、「組換え細胞」は遺伝的に改変した細胞を含むと解される。この細胞は微生物または高級真核細胞であり得る。この用語は元々改変された細胞の子孫を含むと解される。好ましい実施態様において、細胞は接合体または胚幹細胞である。本明細書中、「胚細胞」には一倍体精細胞、卵細胞及びその前駆体が含まれる。本明細書中、「体細胞」には生殖細胞でない生物中の二倍体細胞が含まれる。
【００３７】
好ましい非ヒト動物は、（１）問題内在性遺伝子を発現できないこと；（２）異種免疫グロブリンまたは免疫グロブリンアナログを生成するように異種免疫グロブリン軽鎖及び重鎖を生成し得ること：（３）内在性免疫グロブリン重鎖を生成し得ないこと；及び（４）内在性免疫グロブリン軽鎖を実質的に生成し得ないことにより特徴づけられる。よって、動物はその全内在性免疫グロブリン座が異種免疫グロブリン座の一部または全部により置換されていてもよく、または宿主細胞の染色体に挿入された異種免疫グロブリン座及び不活化された内在性免疫グロブリン領域を有していてもよい。前記代替は免疫グロブリン座で重鎖及び軽鎖を不活化または置換するために相同的組換えを用いることにより少なくとも部分的に実施し得る。
【００３８】
Ｉ．  改変された問題遺伝子を含むトランスジェニック非ヒト動物の作製方法
細胞中の内在性ＧＯＩ及び／または内在性Ｉｇ遺伝子アレレの機能的破壊は、細胞に導入したＧＯＩ遺伝子及び／または内在性Ｉｇ遺伝子またはその一部とアレレの間の相同的組換えにより達成され得る。前記細胞は、Ｂ細胞またはＢ細胞様細胞株（すなわち、Ｉｇの発現を含めた前記細胞型の特性を有する細胞株）のような通常Ｉｇを発現する分化細胞型、または通常ＧＯＩを発現する細胞であり得る。或いは、細胞は胚幹細胞のような動物に発達し得る多能性幹細胞であり得る。細胞が胚幹細胞の場合、細胞を胚盤胞に導入し、胚盤胞を仮動物で発達させると、内在性ＧＯＩ遺伝子アレレ及び／または内在性Ｉｇ遺伝子アレレが機能的に破壊されている体細胞及び胚細胞を有する動物が生ずる。前記動物を本明細書中では「相同的組換え」動物と称する。本発明の好ましい相同的組換え動物はマウスである。
【００３９】
相同的組換え細胞または動物を作製するためには、突然変異が導入されたＧＯＩ及び／またはＩｇ遺伝子をコードするＤＮＡまたはその一部を含む標的ベクターを作成する。内在性ＧＯＩ及び／または内在性Ｉｇ遺伝子においてヌル突然変異を生ずるための好ましい標的ベクターには、非−ＧＯＩコード化ＤＮＡ及び／または非−Ｉｇコード化ＤＮＡが挿入されたＧＯＩコード化ＤＮＡ及び／またはＩｇコード化ＤＮＡが含まれる。例えば、１実施態様では、細胞中の内在性ＧＯＩ及び／または内在性Ｉｇ遺伝子を機能的に破壊するための本発明の標的ベクターは、（ａ）非相同置換部分；（ｂ）前記非相同置換部分の上流に位置し且つ第１ＧＯＩ及び／またはＩｇ遺伝子配列と実質的に同一のヌクレオチド配列を有する第１相同領域；及び（ｃ）前記非相同置換部分の下流に位置し且つ天然に存在する内在性ＧＯＩ及び／または内在性Ｉｇ遺伝子中の第１ＧＯＩ及び／またはＩｇ遺伝子配列の下流に位置する第２ＧＯＩ及び／またはＩｇ遺伝子配列と実質的に同一のヌクレオチド配列を有する第２相同領域；を含む。
【００４０】
従って、非相同置換部分は５’及び３’でＧＯＩ及び／またはＩｇ遺伝子配列と実質的に同一のヌクレオチド配列と隣接している。ＧＯＩ及び／またはＩｇ遺伝子配列と「実質的に同一の」ヌクレオチド配列とは、宿主細胞においてヌクレオチド配列と内在性ＧＯＩ及び／または内在性Ｉｇ遺伝子配列との間で相同的組換えが生ずるようにＧＯＩ及び／またはＩｇ遺伝子配列と十分な相同的を有するヌクレオチド配列を指すと解されたい。典型的には、隣接する相同領域のヌクレオチド配列は、相同的組換えの標的となる内在性ＧＯＩ及び／または内在性Ｉｇのヌクレオチド配列と少なくとも８０％、より好ましくは少なくとも９０％、更に好ましくは少なくとも９５％、最も好ましくは１００％同一である。最も好ましくは、隣接する相同領域は標的とされる内在性アレレと同質遺伝子である（例えば、隣接する領域のＤＮＡは標的構築物を導入しようとする細胞と同じ遺伝子背景を持つ細胞から単離される）。更に、標的ベクターの隣接する相同領域は、ベクターを宿主細胞に導入したとき前記宿主細胞において標的ベクターと内在性ＧＯＩ及び／または内在性Ｉｇ遺伝子との間で相同的組換えするのに十分な長さを有する。典型的には、隣接相同領域は少なくとも１キロベースの長さ、より好ましくは少なくとも数キロベースの長さである。
【００４１】
典型的な標的部位は非相同置換部分としてポジティブ選択発現カセットを有する。「ポジティブ選択発現カセット」は、ポジティブ選択マーカーの発現を調節する調節要素（例えば、プロモーター及びポリアデニル化配列）に作動的に結合するポジティブ選択マーカーをコードするヌクレオチド配列を指す。「ポジティブ選択マーカー」によりマーカーを含む細胞が選択されるか、マーカーを含まず、マーカーを発現しない細胞が選択される（例えば、選択剤により死滅される）。好ましい選択発現カセットの例には、プロモーター及びポリアデニル化信号に作動的に結合しているネオマイシンホスホトランスファーゼ（“ｎｅｏ”）遺伝子が含まれる。ｎｅｏ遺伝子を有し、発現する細胞は選択剤Ｇ４１８に対して耐性を示す。
【００４２】
ポジティブ選択発現カセットに加えて、本発明の標的ベクターは通常、上流または下流の相同領域（すなわち、Ｉｇコード化配列と実質的に同一の領域）と離れて位置するネガティブ選択発現カセットをも含む。「ネガティブ選択発現カセット」は、ネガティブ選択マーカーの発現を調節する調節要素に作動的に結合するネガティブ選択マーカーをコードするヌクレオチド配列を指す。「ネガティブ選択発現カセット」により、前記マーカーを含む細胞が選択される。例えば、前記マーカーを有し、発現する細胞は選択剤により死滅するが、ネガティブ選択マーカーを含まず、発現しない細胞は生き延びる。好ましいネガティブ選択発現カセットの例には、プロモーター及びポリアデニル化信号に作動的に結合している単純ヘルペスウイルスチミジンキナーゼ（“ｔｋ”）遺伝子が含まれる。ｔｋ遺伝子を含み、発現する細胞は例えば選択剤のｇａｎｃｙｃｌｏｖｉｒにより死滅され得る。
【００４３】
上記した標的ベクターの構成により、相同的組換え体を選択するために「ポジティブ／ネガティブ」選択技術を使用することができる。ポジティブ選択マーカーを含み、発現するがネガティブ選択マーカーを失っているように標的ベクターが導入されている細胞が選択される。従って、多分標的ベクターと内在性Ｉｇ遺伝子間の相同的組換えの結果として、前記細胞は非相同置換部分ＤＮＡ（例えば、挿入したｎｅｏ遺伝子）を有するが、標的ベクター中に離れて位置するネガティブ選択マーカーをコードするＤＮＡを失っている。
【００４４】
好ましい実施態様では、標的ベクターは、相同的組換えのためにマウス宿主細胞（例えば、マウス胚幹細胞）中の内在性マウスＧＯＩ及び／または内在性マウスＩｇ遺伝子を標的するようにマウスＧＯＩ及び／またはマウスＩｇ（ｍＩｇ）遺伝子配列と実質的に同一の隣接相同領域を含む。標的ベクターの隣接相同領域として使用されるマウスＧＯＩ及び／またはマウスＩｇゲノムＤＮＡは、マウスＣＯＩ  ｃＤＮＡ及び／またはマウスＩｇ  ｃＤＮＡの全部または一部を含むｃＤＮＡプローブを用い、標準的方法に従ってマウスゲノムＤＮＡライブラリーからスクリーニングすることによりマウスゲノムＤＮＡライブラリーから単離され得る。好ましくは、スクリーニングされるゲノムＤＮＡライブラリーは標的ベクターをトランスフェクトする細胞と同遺伝子的細胞から構築する。例えば、マウスの１２９／Ｓｖ株（Ｓｔｒａｔａｇｅｎｅから市販されている）由来のゲノムライブラリーをスクリーニングして、株１２９／Ｓｖ由来のＤ３胚幹細胞にトランスフェクトするための標的ベクター中に使用されるマウスＩｇゲノムＤＮＡを単離し得る。マウスＩｇ  ｃＤＮＡのヌクレオチド配列及びマウスＩｇタンパク質の予想アミノ酸配列はＮｅｔｔら，Ｊ．Ｉｍｍｕｎｏｌ．，１４９：３２５４−３２５９（１９９２）に記載されている。マウスＩｇ遺伝子の構造及び完全ヌクレオチド配列はＦ．Ｊ．Ｃａｓａｎｏら，Ｇｅｎｏｍｉｃｓ，２０：４７４−４８１（１９９４）に記載されている。
【００４５】
宿主細胞中の内在性ＧＯＩ及び／または内在性Ｉｇ遺伝子アレレを機能的に破壊するためには、本発明の標的ベクターを宿主細胞、例えば通常ＧＯＩ及び／またはＩｇを発現している分化細胞または胚幹細胞に導入し、相同的組換え体を選択する。外来性ＤＮＡの導入に適した当業界で公知の幾つかの技術（例えば、リン酸カルシウム沈降、ＤＥＡＥ−デキストラントランスフェクション、マイクロインジェクション、リポフェクョン等）により標的ベクターを宿主細胞に導入するが、エレクトロポレーションにより標的ベクターを宿主細胞に導入することが最も好ましい。ベクターを宿主細胞に導入後、導入した標的ベクターと内在性ＧＯＩ及び／または内在性Ｉｇ遺伝子との間で相同的組換えするのに十分な時間及び条件下で細胞を培養する。宿主細胞を（例えば、上記したポジティブ／ネガティブ選択法により）選択し、内在性ＧＯＩ及び／または内在性Ｉｇ遺伝子座での相同的組換えについて一般的方法（例えば、正常な内在性アレレを相同的組換え体アレレと区別するプローブを用いるサザンハイブリダイゼーション）によりスクリーニングする。
【００４６】
ＧＯＩ及び／またはＩｇ遺伝子破壊に対してホモ接合性の細胞（例えば、マクロファージまたは単球）を生成するためには、Ｒ．Ｎ．Ｍｏｒｔｅｎｓｅｎら（Ｍｏｌ．Ｃｅｌｌ．Ｂｉｏｌ．，１２，２３９１−２３９５（１９９２））のＧ４１８エスカレーション法をヘテロ接合性細胞に対して使用し得る。或いは、野生型宿主細胞の第１アレレを１つのマーカー（例えば、Ｇ４１８耐性）で選択される第１の相同的組換え事象により破壊し、次いでヘテロ接合性細胞の第２アレレを別のマーカー（例えば、ヒグロマイシン耐性）で選択される第２の相同的組換え事象により破壊し得る（例えば、Ｈ．ＴＥＲｉｅｌｅ，Ｎａｔｕｒｅ，３４８：６４９−６５１（１９９０）参照）。
【００４７】
本発明の相同的組換え動物を作製するためには、１つの機能的に破壊されたＧＯＩ及び／またはＩｇ遺伝子アレレを有する胚幹細胞を胚盤胞に導入し、この胚盤胞を偽妊娠仮母親に移植し、胚を予定日まで発達させる。生じた動物は胚幹細胞から派生した細胞を有するキメラである。胚幹細胞が動物の生殖細胞になったキメラ動物を野生型動物と交配させると、すべての体細胞及び生殖細胞においてＧＯＩ及び／またはＩｇ遺伝子破壊に対してヘテロ接合性の動物が生ずる。次いで、ヘテロ接合性動物を交配すると、Ｉｇ遺伝子破壊に対してホモ接合性の（すなわち、機能的に破壊されたＧＯＩ及び／またはＩｇ遺伝子アレレを有する）動物を生じ得る。上記した相同的組換え動物は（以下に詳記する）インビボスクリーニングアッセイのための対照または試験動物として使用され得る。更に、ＧＯＩ及び／またはＩｇ遺伝子破壊に対してホモ接合性の動物の細胞を動物から単離し、インビトロスクリーニングアッセイに使用するために培養する。例えば、通常Ｉｇを発現する腹腔浸出マクロファージ（例えば、チオグリコレート誘発した）は一般的方法により動物から単離され得る。更に、不死化細胞は細胞不死化の一般的技術を用いて、例えばｍｙｃ、ｒａｓまたはＳＶ４０大型Ｔ抗原をコードする発現ベクターを細胞にトランスフェクトすることにより、動物の細胞から作成され得る。
【００４８】
標的ベクター及び相同的組換え法に関する更なる説明は、例えばＫ．Ｒ．Ｔｈｏｍａｓら，Ｃｅｌｌ，４４：４１９−４２８（１９８６）；Ｋ．Ｒ．Ｔｈｏｍａｓら，Ｃｅｌｌ，５１：５０３−５１２（１９８７）；Ｋ．Ｒ．Ｔｈｏｍａｓら，Ｍｏｌ．Ｃｅｌｌ．Ｂｉｏｌ．，１２：２９１９−２９２３（１９９２）；Ｃ．Ｄｅｎｇ及びＭ．Ｒ．Ｃａｐｅｃｃｈｉら，Ｍｏｌ．Ｃｅｌｌ．Ｂｉｏｌ．，１２：３３６５−３３７１（１９９２）；Ｐ．Ｈａｓｔｙら，Ｍｏｌ．Ｃｅｌｌ．Ｂｉｏｌ．，１２：２４６４−２４７４（１９９２）；Ｅ．Ｌｉら，Ｃｅｌｌ，６９：９１５（１９９２）；Ｈ，Ｚｈａｎｇら，Ｍｏｌ．Ｃｅｌｌ．Ｂｉｏｌ．，１４：２４０４−２４１０（１９９４）；Ａ．Ｂｒａｄｌｅｙら，「テトラカルシノーマ及び胚幹細胞：実際的アプローチ(Teratocarcinomas and Embryonic Stem Cells: A practical Approach)」，Ｅ．Ｊ．Ｒｏｂｅｒｔｓｏｎ編，ＩＲＬ，Ｏｘｆｏｒｄ（１９８７年）発行，ｐ．１１３−１５２；国際特許出願公開第９０／１１３５４号パンフレット；国際特許出願公開第９１／０１１４０号パンフレット；国際特許出願公開第９１／１９７９６号パンフレット；国際特許出願公開第９２／２０８０８号パンフレット及び国際特許出願公開第９３／０４１６９号パンフレットも参照されたい。或いは、ＧＯＩ及び／またはＩｇ遺伝子破壊に対してヘテロ接合性またはホモ接合性である体細胞の核を除核未受精卵に導入した後、偽妊娠仮母親に移植して相同的組換え動物を作製する。例えば、Ｉ．Ｗｉｌｍｕｔら，Ｎａｔｕｒｅ，３８５（６６１９）：８１０−８１３（１９９７）；Ｙ．Ｋａｔｏら，Ｓｃｉｅｎｃｅ，２８２（５３９６）：２０９５−２０９８（１９９８）；Ｔ．Ｗａｋａｙａｍａら，Ｎａｔｕｒｅ，３９４（６６９１）：３６９−３７４（１９９８）；Ｋ．Ｊ．ＭｃＣｒｅａｔｈら，Ｎａｔｕｒｅ，４０５（６９７０）：１０６６−１０６９（２０００）；Ｔ．Ｗａｋａｙａｍａら，Ｍｏｌ．Ｒｅｐｏｒｄ．Ｄｅｖ．，５８（４）：３７６−３８３（２００１）も参照されたい。Ｉｇ遺伝子の両コピーは国際特許出願公開第９３／１６１７７号パンフレットに記載されている方法に従って機能的に破壊され得る。更には、国際特許出願公開第９３／２２４４３号パンフレットに記載されているように相同的組換えによりＧＯＩ及び／またはＩｇ遺伝子を機能的に破壊するためにリコンビナーゼを使用し得る。
【００４９】
遺伝子アレレ（例えば、Ｉｇ及び／またはＧＯＩアレレ）にヌル突然変異を導入し得ることに加えて、遺伝子アレレ（例えば、Ｉｇ及び／またはＧＯＩアレレ）に挿入、点突然変異または欠失を導入するために類似の方法を使用し得る。点または欠失突然変異は、例えば（Ｖ．Ｖａｌａｎｃｉｕｓ及びＯ．Ｓｍｉｔｈｉｅｓ，Ｍｏｌ．Ｃｅｌｌ．Ｂｉｏｌ．，１１：１４０２−１４０８（１９９１）及びＰ．Ｈａｓｔｙら，Ｎａｔｕｒｅ．３５０：２４３−２４６（１９９１）に記載されている）“ヒット・アンド・ラン”相同的組換え法により、（Ｈ．Ｗｕら，Ｐｒｏｃ．Ｎａｔｌ．Ａｃａｄ．Ｓｃｉ．ＵＳＡ，９１：２８１９−２８２３（１９９４）に記載されている）二重置換相同的組換え法により、遺伝子アレレに導入され得る。従って、別の実施態様として、本発明は改変されたＩｇ遺伝子及び／またはＧＯＩ産物を発現する相同的組換え細胞及び動物（例えば、ヒト細胞または非ヒト動物）を提供する。
【００５０】
トランスジェニック動物を作製するためには、上記したトランス活性化因子融合タンパク質をコードする本発明の核酸を宿主細胞での融合タンパク質の発現に適した形で組換え発現ベクターに組み込み得る。「宿主細胞での融合タンパク質の発現に適した形」とは、組み換え発現ベクターが核酸のｍＲＮＡへの転写及び前記ｍＲＮＡの融合タンパク質への翻訳を可能とする方法で融合タンパク質をコードする核酸に作動的に結合した１つ以上の調節配列を含むことを意味する。「調節配列」は当業界で認識されており、プロモーター、エンハンサー及び他の発現調節要素（例えば、ポリアデニル化信号）が含まれると解される。前記調節配列は当業者に公知であり、Ｇｏｅｄｄｅｌ，「遺伝子発現技術：酵素学における方法(Gene Expression Technology: Methods in Enzymology」，１８５，カリフォルニア州サンジェゴに所在のＡｃａｄｅｍｉｃ  Ｐｒｅｓｓ（１９９０年）発行に記載されている。発現ベクターの設計はトランスフェクトされる宿主細胞の選択及び／または発現される融合タンパク質の量のような因子に依存し得ると理解されるべきである。
【００５１】
哺乳動物細胞中に使用する場合、組換え発現ベクターの制御機能は多くの場合ウイルス遺伝子物質より与えられる。例えば、慣用されているプロモーターはポリオーマ、アデノウイルス２、サイトメガロウイルス及びシミアンウイルス４０から誘導される。融合タンパク質を発現させるウイルス調節要素を使用すると、各種の宿主細胞において融合タンパク質を高レベルで構成的発現させ得る。好ましい組換え発現ベクターでは、融合タンパク質をコードする配列は上流（すなわち、５’）でヒトサイトメガロウイルスＩＥプロモーターと隣接しており、下流（すなわち、３’）でＳＶ４０ポリ（Ａ）信号と隣接している。例えば、実施例１に記載されているものと類似の発現ベクターを使用し得る。ヒトサイトメガロウイルスＩＥプロモーターはＢｏｓｈａｒｔら，Ｃｅｌｌ，４１：５２１−５３０（１９８５）に記載されている。使用し得る他の遍在的に発現するプロモーターには、（ＭｃＫｎｉｇｈｔら，Ｃｅｌｌ，３７：２５３−２６２（１９８４）に記載されている）ＨＳＶ−Ｔｋプロモーター及びβ−アクチンプロモーター（例えば、Ｎｇら，Ｍｏｌ．Ｃｅｌｌ．Ｂｉｏｌ．，５：２７２０−２７３２（１９８５）に記載されているヒトβ−アクチンプロモーター）が含まれる。
【００５２】
或いは、組換え発現ベクターの調節配列は特定の細胞型において優先的に融合タンパク質を発現させ得る。すなわち、組織特異的調節要素を使用し得る。使用可能な組織特異的調節要素の非限定例には、アルブミンプロモーター（肝特異性；Ｐｉｎｋｅｒｔら，Ｇｅｎｅｓ  Ｄｅｖ．，１：２６８−２７７（１９８７））、リンパ球特異性プロモーター（Ｃａｌａｍｅ及びＥａｔｏｎ，Ａｄｖ．Ｉｍｍｕｎｏｌ．，４３：２３５−２７５（１９８８））、特にＴ細胞受容体（Ｗｉｎｏｔｏ及びＢａｌｔｉｍｏｒｅ，ＥＭＢＯ  Ｊ．，８：７２９−７３３（１９８９））及び免疫グロブリン（Ｂａｎｅｒｊｉら，Ｃｅｌｌ，３３：７２９−７４０（１９８３）；Ｑｕｅｅｎ及びＢａｌｔｉｍｏｒｅ，Ｃｅｌｌ，３３：７４１−７４８（１９８３））のプロモーター、ニューロン特異性プロモーター（例えば、神経フィラメントプロモーター；Ｂｙｒｎｅ及びＲｕｄｄｌｅ，Ｐｒｏｃ．Ｎａｔｌ．Ａｃａｄ．Ｓｃｉ．ＵＳＡ，８６：５４７３−５４７７（１９８９））、膵臓特異性プロモーター（Ｅｄｌｕｎｄら，Ｓｃｉｅｎｃｅ，２３０：９１２−９１６（１９８５））及び乳腺特異性プロモーター（例えば、乳清プロモーター；米国特許第４，８７３，３１６号明細書及び欧州特許出願公開第２６４，１６６号明細書）が含まれる。マウスホックスプロモーター（Ｋｅｓｓｅｌ及びＧｒｕｓｓ，Ｓｃｉｅｎｃｅ，２４９：３７４−３７９（１９９０））及びα−フェトプロテインプロモーター（Ｃａｍｐｅｓ及びＴｉｌｇｈｍａｎ，Ｇｅｎｅｓ  Ｄｅｖ．，３：５３４−５４６（１９８９））のような発生調節したプロモーターも包含される。
【００５３】
或いは、トランス活性化因子融合タンパク質をコードする自己調節構築物を作成し得る。こうするためには、融合タンパク質をコードする核酸を最小プロモーター配列及び少なくとも１つのｔｅｔオペレーター配列に作動的に結合させる。この核酸を（例えば、組換え発現ベクター中の）細胞に導入すると、“漏出”のためにトランス活性化因子遺伝子の基礎転写が少し起こりそうである。テトラサイクリンＴｃ（またはそのアナログ）の存在下では、この少量のトランス活性化因子融合タンパク質はトランス活性化因子をコードするヌクレオチド配列の上流のｔｅｒｔオペレーター配列に結合し、トランス活性化因子をコードするヌクレオチド配列の追加転写を刺激し、よって細胞中でトランス活性化因子融合タンパク質が更に産生される。当業者は認識しているように、前記した自己調節プロモーターは（図９Ａに図示されているように）Ｔｃの非存在下でｔｅｔオペレーターに結合する他のテトラサイクリン調節トランス活性化因子、例えばＭ．Ｇｏｓｓｅｎ及びＨ．Ｂｕｊａｒｄ，Ｐｒｏｃ．Ｎａｔｌ．Ａｃａｄ．Ｓｃｉ，ＵＳＡ，８９：５５４７−５５５１（１９９２）に記載されている野生型Ｔｅｔリプレッサー融合タンパク質（ｔＴＡ）と共に使用され得る。このトランス活性化因子と併用すると、トランス活性化因子をコードするヌクレオド配列の自己調節転写はＴｃの非存在下で刺激される。自己調節プロモーターに作動的に結合した、上掲のＧｏｓｓｅｎ及びＢｕｊａｒｄ（１９９２）に記載されているｔＴＡをコードするヌクレオチド配列を含むプラスミドｐＵＨＤ１５−３はブダペスト条約の規定によりドイツ国のブラウンシュバイクに所在のドイツ微生物菌株保存機構(Deutsche Sammlung Von Mikroorganismen und Zell Kulturen GmbH)（ＤＳＭ）に１９９４年７月８日に寄託し、受託番号はＤＭＳ  ９２８０である。
【００５４】
１実施態様では、本発明の組換え発現ベクターはプラスミドである。或いは、本発明の組換え発現ベクターは、ウイルス核酸に導入した核酸を発現させるウイルスまたはその一部である。例えば、複製能欠損レトロウイルス、アデノウイルス及びアデノ関連ウイルスを使用し得る。組換えレテロウイルスを産生させ、インビトロまたはインビボで細胞に前記ウイルスを感染させる方法は、Ｆ．Ｍ．Ａｕｓｕｂｅｌら編，「分子生物学の現在のプロトコル(Current Protocols in Molecular Biology)」，セクション９．１０−９．１４，Ｇｒｅｅｎｅ  Ｐｕｂｌｉｓｈｉｎｇ  Ａｓｓｏｃｉａｔｅｓ（１９８９年）発行及び他の一般的な実験マニュアル書に記載されている。好適なレテロウイルスの例には、いずれも当業者に公知のｐＬＪ、ｐＺＩＰ及びｐＥＭが含まれる。好適な充填ウイルス株の例には、ΨＣｒｉｐ、ΨＣｒｅ、Ψ２及びΨＡｍが含まれる。アデノウイルスのゲノムはトランス活性化因子融合タンパク質をコードし、発現させるが、正常な溶菌ウイルスライフサイクルでの複製能力が不活化されるように操作され得る。例えば、Ｂｅｒｋｎｅｒら，ＢｉｏＴｅｃｈｎｉｑｕｅｓ，６：６１６（１９８８）；Ｒｏｓｅｎｆｅｌｄら，Ｓｃｉｅｎｃｅ，２５２：４３１−４３４（１９９１）；及びＲｏｓｅｎｆｅｌｄら，Ｃｅｌｌ，６８：１４３−１５５（１９９２）参照。アデノウイルス株Ａｄタイプ５ｄｌ３２４または他のアデノウイルス株（例えば、Ａｄ２、Ａｄ３、Ａｄ７等）由来の好適なアデノウイルスベクターは当業者に公知である。或いは、Ｔｒａｔｃｈｉｎら，Ｍｏｌｌ．Ｃｅｌｌ．Ｂｉｏｌ．，５：３２５１−３２６０（１９８５）に記載されているようなアデノ関連ウイルスベクターはトランス活性化因子融合タンパク質を発現させるために使用され得る。
【００５５】
融合タンパク質をコードする核酸は、真核細胞のトランスフェクションのための一般的な技術により宿主細胞に導入され得る。「トランスフェクトする」または「トランスフェクション」は、リン酸カルシウム共沈殿、ＤＥＡＥ−デキストラン媒介トランスフェクション、リポフェクション、エレクトロポレーション及びマイクロインジェクションを含め、宿主細胞に核酸を導入するために慣用されているすべての方法が含まれると解される。宿主細胞をトランスフェクトするための好適方法はＳａｍｂｒｒｏｋら，「分子クローニング：実験マニュアル(Molecular Cloning: A Laboratory Manual)」，第２版，Ｃｏｌｄ  Ｓｐｒｉｎｇ  Ｈａｒｂｏｒ  Ｌａｂｏｒａｔｏｒｙ  ｐｒｅｓｓ（１９８９年）及び他の実験教書に記載されている。
【００５６】
本発明の核酸を用いて形質転換される宿主細胞の数は、少なくとも部分的に使用する組換え発現ベクターの種類及び使用するトランスフェクション技術の種類に依存する。核酸を過渡的に宿主細胞に導入してもよいが、より一般的には遺伝子発現を長期間調節するために核酸を宿主細胞のゲノムに安定的に組み込むかまたは宿主細胞中に安定エピソームとして残す。哺乳動物細胞に導入されるプラスミドベクターは通常低頻度でしか宿主細胞ＤＮＡに組み込まれない。前記組込み物を同定するために、通常選択マーカー（例えば、薬物耐性）を含む遺伝子を問題核酸と共に宿主細胞に導入する。好ましい選択マーカーには、Ｇ４１８やヒグロマイシンのような特定薬物に対する耐性を付与するものが含まれる。選択マーカーを問題核酸由来の別のプラスミドに導入するかまたは同一プラスミドに導入してもよい。本発明の核酸（例えば、組換え発現ベクター）及び選択マーカーの遺伝子をトランスフェクトした宿主細胞は、選択マーカーを用いて細胞を選択することにより同定され得る。例えば、選択マーカーがネオマイシン耐性を与える遺伝子をコードするならば、核酸を摂取した宿主細胞はＧ４１８を用いて選択され得る。選択マーカー遺伝子を組み込んだ細胞は、他の細胞が死んでも生き延びている。
【００５７】
本発明の融合タンパク質をコードする核酸をトランスフェクトした宿主細胞に更に、融合タンパク質に対する標的として機能する１つ以上の核酸をトランスフェクトしてもよい。標的核酸は転写されるヌクレオチド配列を含み、前記ヌクレオチド配列は少なくとも１つのｔｅｔオペレーター配列に作動的に結合している。
【００５８】
本発明の融合タンパク質をコードする核酸はインビトロで、慣用されているトランスフェクション技術（例えば、リン酸カルシウム沈殿、ＤＥＡＥ−デキストラントランスフェクション、エレクトロポレーション等）により培養殖中の真核細胞に導入され得る。核酸はインビボで、例えばレトロウイルスベクター（例えば、Ｎ．Ｆｅｒｒｙら，Ｐｒｏｃ．Ｎａｔｌ．Ａｃａｄ．Ｓｃｉ．ＵＳＡ，８８：８３７７−８３８１（１９９１）及びＭ．Ａ．Ｋａｙら，Ｈｕｍａｎ  Ｇｅｎｅ  Ｔｈｅｒａｐｙ，３：６４１−６４７（１９９２）参照）、アデノウイルスベクター（例えば、Ｍ．Ａ．Ｒｏｓｅｎｆｅｌｄら，Ｃｅｌｌ，６８：１４３−１５５（１９９２）；及びＪ．Ｈｅｒｚ及びＲ．Ｄ．Ｇｅｒａｒｄ，Ｐｒｏｃ．Ｎａｔｌ．Ａｃａｄ．Ｓｃｉ．ＵＳＡ，９０：２８１２−２８１６（１９９３）参照）、受容体媒介ＤＮＡ摂取（例えば、Ｇ．Ｗｕ及びＣ．Ｈ．Ｗｕら，Ｊ．Ｂｉｏｌ．Ｃｈｅｍ．，２６３：１４６２１（１９８８）；Ｗｉｌｓｏｎら，Ｊ．Ｂｉｏｌ．Ｃｈｅｍ．，２６７：９６３−９６７（１９９２）及び米国特許第５，１６６，３２０号明細書参照）、ＤＮＡの直接注入（例えば、Ａｃｓａｄｉら，Ｎａｔｕｒｅ，３３２：８１５−８１８（１９９１）及びＷｏｌｆｆら，Ｓｃｉｅｎｃｅ，２４７：１４６５−１４６８（１９９０）参照）、または粒子衝撃（例えば、Ｌ．Ｃｈｅｎｇら，Ｐｒｏｃ．Ｎａｔｌ．Ａｃａｄ．Ｓｃｉ．ＵＳＡ，９０：４４５５−４４５９（１９９３）及びＡ．Ｖ．Ｚｅｌｅｎｉｎら，ＦＥＢＳ  Ｌｅｔｔｅｒｓ，３１５：２９−３２（１９９３）参照）のようなインビボで核酸を細胞に導入するのに適したデリバリーメカニズムを適用して細胞に移入してもよい。従って、遺伝子治療の目的では、細胞をインビトロで改変し、患者に投与してもよく、または細胞をインビボで直接改変してもよい。
【００５９】
核酸トランス活性化因子融合タンパク質を非ヒト動物の受精卵母細胞に移入すると、１つ以上の細胞型において本発明の融合タンパク質を発現させるトランスジェニック動物が得られる。１実施態様では、非ヒト動物はマウスであるが、本発明はマウスに限定されない。他の実施態様では、トランスジェニック動物はヤギ、ヒツジ、ブタ、ウシまたは他の家畜動物である。前記トランスジェニック動物はタンパク質を大量生産する（所謂「遺伝子ファーミング(gene pharming)」）ために有用である。更に他の態様では、トランスジェニック動物は非ヒト霊長動物である。
【００６０】
トランスジェニック動物は、例えば（通常、構成的または組織特異的エンハンサーのような適当な調節要素に結合させた）融合タンパク質をコードする核酸を受精卵母細胞の雄前核に例えばマイクロインジェクションにより導入し、受精卵母細胞を偽妊娠雌仮親において発達させることにより作製される。イントロン配列及びポリアデニル化信号を導入遺伝子に導入して、該導入遺伝子の発現効率を高めることもできる。トランスジェニック動物、特にマウスのような動物を作製する方法は当業界で一般的になりつつあり、例えば米国特許第４，７３６，８６６号明細書、同４，８７０，００９号明細書及びＢ．Ｈｏｇａｎら，「実験マニュアル(A Laboratory Manual)」，ニューヨークのコールドスプリングハーバーに所在のＣｏｌｄ  Ｓｐｒｉｎｇ  Ｈａｒｂｏｒ  Ｌａｂｏｒａｔｏｒｙ（１９８６年）発行に記載されている。導入遺伝子を有する別の動物を交配するためにトランスジェニック第一代動物を使用することもできる。本発明の融合タンパク質をコードする導入遺伝子を有するトランスジェニック動物を更に他の導入遺伝子を有する他のトランスジェニック動物、例えばｔｅｔオペレーター配列に作動的に結合している遺伝子を含むトランスジェニック動物と交配することができる。
【００６１】
トランスジェニック動物に加えて、本明細書に記載の調節システムは他のトランスジェニック生物（例えば、トランスジェニック植物）に適用され得ると認められる。当業界で公知の慣用方法を用いてトランスジェニック植物を作製することができる。従って、本発明は、本発明のトランス活性化因子融合タンパク質を発現する細胞（すなわち、トランス活性化因子をコードする核酸がトランスジェニック生物の細胞中の１つ以上の染色体に組み込まれている）を含む動物及び植物を含めた非ヒトトランスジェニック生物を包含する。
【００６２】
本発明の動物及び前記動物から誘導される細胞の特徴から、これらは以下に詳記するように広範囲の用途で有用である。
【００６３】
ＩＩ．  抗体を作成するための非ヒトトランスジェニックマウスの使用
本発明は、ＧＯＩのヒトアナログの産物、例えばｈＧＯＩペプチドまたはタンパク質に結合する抗体またはその抗体部分を提供する。好ましくは、抗体またはその部分は単離抗体である。好ましくは、抗体またはその部分は中和抗体である。１実施態様では、抗体またはその部分はｍＡｂである。好ましい実施態様では、ｍＡｂまたはその部分はヒト重鎖または軽鎖を含む。更に好ましい実施態様では、ｍＡｂまたはその部分はヒト重鎖及び軽鎖を含む。
【００６４】
好ましい実施態様では、本発明の非ヒトトランスジェニック動物を致死量の全身照射で処置後抗原を用いて免疫化し、重症複合免疫不全症（ＳＣＩＤ）マウスの骨髄細胞を放射線防護し、その後機能的ヒトリンパ球を移植する。このタイプのキメラ（Ｔｒｉｍｅｒａ系と称される）は、マウスを問題抗原を用いて免疫化後一般的なハイブリドーマ法を用いてモノクローナル抗体を作成することによりヒトモノクローナル抗体を作成するために使用されてきた。マウス及びその抗体作成における使用の詳細説明に関しては、例えばＲ．Ｅｒｅｎら，Ｉｍｍｕｎｏｌｏｇｙ，９３：１５４−１６１（１９９８）；Ｙ．Ｒｅｉｓｎｅｒ及びＳ．Ｄａｇａｎ，Ｔｒｅｎｄｓ  Ｂｉｏｔｅｃｈｎｏｌ．，１６：２４２−２４６（１９９８）；Ｅ．Ｉｌａｎら，Ｈｅｐａｔｏｌｏｇｙ，２９：５５３−５６２（１９９９）；及びＷ．Ｏ．Ｂｏｃｈｅｒら，Ｉｍｍｕｎｏｌｏｇｙ，９６：６３４−６４１（１９９９）を参照されたい。
【００６５】
免疫グロブリン分子または免疫グロブリン分子アナログを産生するトランスジェニック宿主由来のＢ−細胞を使用して、Ｋｏｈｌｅｒ及びＭｉｌｓｔｅｉｎ，Ｎａｔｕｒｅ，２５６：４９５−４９７（１９７５）に元々記載されているハイブリドーマ技術のような一般的な技術によりモノクローナル抗体を作成し得る（Ｂｒｏｗｎら，Ｊ．Ｉｍｍｕｎｏｌ．，１２７：５３９−５４６（１９８１）；Ｂｒｏｗｎら，Ｊ．Ｂｉｏｌ．Ｃｈｅｍ．，２５５：４９８０−８３（１９８０）；Ｙｅｈら，ＰＮＡＳ，７６：２９２７−３１（１９７６）；及びＹｅｈら，Ｉｎｔ．Ｊ．Ｃａｎｃｅｒ，２９：２６９−７５（１９８２）も参照されたい）。モノクローナル抗体ハイブリドーマを作成する技術は公知である（一般的には、「モノクローナル抗体：生物学的分析における新しい要素(Monoclonal Antibodies: A New Dimension In Biological Analyses)」，ニューヨーク州ニューヨークに所在のＰｌｅｎｕｍ  Ｐｕｂｌｉｓｈｉｎｇ  Ｃｏｒｐ．（１９８０年）発行；Ｅ．Ａ．Ｌｅｒｎｅｒ，Ｙａｌｅ  Ｊ．Ｂｉｏｌ．Ｍｅｄ．，５４：３８４−４０２（１９８１）；Ｍ．Ｌ．Ｇｅｆｔｅｒら，Ｓｏｍａｔｉｃ  Ｃｅｌｌ  Ｇｅｎｅｔ．，３：２３１−３６（１９７７）参照）。簡単に説明すると、下記する特定免疫原で免疫化した哺乳動物由来のリンパ球（通常、脾細胞、リンパ節細胞または末梢血リンパ球）に不死化細胞株（通常、ミエローマ）を融合し、生じたハイブリドーマ細胞の培養上清をスクリーニングにかけて問題遺伝子の産物に対して特異性を有するモノクローナル抗体を産生するハイブリドーマを同定する。リンパ球と不死化細胞株の融合に使用する公知の多くのプロトコルを二重特異性モノクローナル抗体を作成する目的で使用され得る（例えば、Ｇ．Ｇａｌｆｒｅら，Ｎａｔｕｒｅ，２６６：５５０−５２（１９９７）；上掲したＧｅｆｔｅｒら，Ｓｏｍａｔｉｃ  Ｃｅｌｌ  Ｇｅｎｅｔ．；上掲したＬｅｒｎｅｒ，Ｙａｌｅ  Ｊ．Ｂｉｏｌ．Ｍｅｄ．；上掲したＫｅｎｎｅｔｈ，「モノクローナル抗体」参照）。更には、当業者は認識しているように、上記方法には多くの改変方法があり、これらの方法も有用である。通常、リンパ球と同じ哺乳動物種から不死細胞株（例えば、ミエローマ細胞株）を誘導する。例えば、本発明の免疫原調製物を用いて免疫化したマウス由来のリンパ球を不死化マウス細胞株と融合することによりマウスハイブリドーマを生成する。好ましい不死細胞株は、ヒポキサンチン、アミノプテリン及びチミジンを含む培地（“ＨＡＴ”培地）に対して感受性のマウスミエローマ細胞株である。多数のミエローマ細胞株が一般的方法に従った融合パートナーとして使用され得、その例はＰ３−ＮＳ１／１−Ａｇ４−１、Ｐ３−ｘ６３−Ａｇ８．６５３またはＳｐ２／Ｏ／Ａｇ１４ミエローマ細胞株である。前記ミエローマ細胞株はメリーランド州ロックビルに所在のアメリカン・タイプ・カルチャー・コレクション（ＡＴＣＣ）から入手可能である。通常、ＨＡＴ感受性マウスミエローマ細胞をポリエチレングリコール（ＰＥＧ）を用いてマウス脾細胞に融合する。次いで、融合により得られたハイブリドーマ細胞をＨＡＴ培地を用いて選択する。このＨＡＴ培地は未融合ミエローマ細胞株及び非生産的に融合した��エローマ細胞株を死滅させる（未融合ミエローマ細胞株は形質転換されていないので数日後に死ぬ）。問題遺伝子の産物を特異的に認識するモノクローナル抗体を産生するハイブリドーマ細胞を、例えば一般的なＥＬＩＳＡアッセイを用いて抗体に対するハイブリドーマ培養上清をスクリーニングして前記遺伝子産物に特異的に結合し得る抗体を選択することにより同定される。次いで、不死化細胞を連続培養で増殖させてもよく、または腹水を生じさせるために相容性宿主の腹膜に導入してもよい。
【００６６】
本発明は、ポリクローナルヒト抗血清、ヒトモノクローナル抗体または抗体アナログの作成を提供する。抗体を作成するための一般的なインビボ方法は、適当な動物を抗原を用いて免疫化してインビボ抗体レパートリーを前記抗原に曝し、その後動物から問題抗体を回収することである。適当な免疫原調製物は、例えば化学合成または組換え発現した抗原を含み得る。前記調製物は更にフロイント完全または不完全アジュバントのようなアジュバントまたは類似の免疫賦活化化合物を含み得る。更に、抗体を特にインビボ免疫化により作成するために使用するときには、抗原を単独で使用してもよいが、担体タンパク質とのコンジュゲートとして使用することがより好ましい。抗体応答を強化する方法は当業界で公知である。二重特異性抗原をコンジュゲートし得る好適な担体タンパク質には、キーホールリンペットヘモシアニン（ＫＬＨ）及びアルブミンが含まれる。哺乳動物宿主を免疫原を用いて免疫化したら、生じたヒト抗体はアフィニティーカラムを用いてプロテインＡのようなＦｃ結合部分を有する他のタンパク質から単離され得る。
【００６７】
本発明の抗体には二重特異性抗体が含まれる。本明細書中、「二重特異性抗体」は２つ以上の異なるが関連する抗原を特異的に認識する抗体、例えば３以上の構造的に関連するが区別される抗原を認識する抗体を含むと解される。更に、「異なるが構造的に関連する抗原」は、全体的な構造が関連している抗原（例えば、タンパク質）及び１つ以上の構造的に関連する領域はあるが他の点では関連していない抗原（例えば、タンパク質）を含むと解される。従って、「異なるが構造的に関連する」抗原は例えば共通する全体構造を有する同一タンパク質ファミリーのメンバーである２つのタンパク質であっても、全体構造は似ていない（関連していない）がいずれも構造的に関連するドメインを含む２つのタンパク質であってもよい。リンパ球を不死化細胞株と融合するために使用される多くの公知のプロトコルが二重特異性を有するモノクローナル抗体を作成するために使用され得る（例えば、Ａｂｇｅｎｉｘ  Ｉｎｃ．の米国特許第５，９３９，５９８号明細書、国際特許出願公開第９６／３３７３５号パンフレット、同第９６／３４０９６号パンフレット、同第９８／２４８９３号パンフレット及び同第９９／５３０４９号パンフレット；Ｍｅｄａｒｅｘ，Ｉｎｃ．の米国特許第５，８９７，８６１号明細書、同第６，０７１，５１７号明細書及び同６，０９６，３１１第号明細書参照）。また、Ｇａｌｆｒｅら，Ｎａｔｕｒｅ，２６６：５５０−５２（１９７７）；上掲のＧｅｆｔｅｒら，Ｓｏｍａｔｉｃ  Ｃｅｌｌ  Ｇｅｎｅｔ．；上掲のＬｅｒｎｅｒ，Ｙａｌｅ  Ｊ．Ｂｉｏｌ．Ｍｅｄ．；上掲のＫｅｎｎｅｔｈ，「モノクローナル抗体」も参照されたい。
【００６８】
本明細書中、抗体の「抗原結合部分」（単に、「抗体部分」と言うこともある）は、抗原（例えば、ｈＧＯＩペプチドまたはタンパク質のようなＧＯＩ産物のヒトアナログ）に特異的に結合する能力を維持している抗体の１つ以上の断片を指す。抗体の抗原結合機能は完全長抗体の断片により発揮され得ることは分かっている。抗体の「抗原結合部分」に含まれる結合断片の例には、（ｉ）Ｆａｂ断片、すなわちＶＬ、ＶＨ、ＣＬ及びＣＨ１ドメインからなる１価断片、（ｉｉ）Ｆ（ａｂ’）２断片、すなわちヒンジ領域でジスルフィド橋により結合した２つのＦａｂ断片からなる２価断片、（ｉｉｉ）ＶＨ及びＣＨ１ドメインからなるＦｄ断片、（ｉｖ）抗体の一本腕のＶＬ及びＶＨドメインからなるＦｖ断片、（ｖ）ＶＨドメインからなるｄＡｂ断片（Ｗａｒｄら，Ｎａｔｕｒｅ，３４１：５４４−５４６（１９８９））、及び（ｖｉ）単離した相補性決定領域（ＣＤＲ）が含まれる。更に、Ｆｖ断片の２つのＶＬ及びＶＨドメインはそれぞれの遺伝子によりコードされるが、ＶＬ及びＶＨ領域が対をなして一価分子を形成する単一タンパク質鎖（一本鎖Ｆｖ（ｓｃＦｖ）として公知；例えばＢｉｒｄら，Ｓｃｉｅｎｃｅ，２４２：４２３−４２６（１９８８）；及びＨｕｓｔｏｎら，Ｐｒｏｃ．Ｎａｔｌ．Ａｃａｄ．Ｓｃｉ．ＵＳＡ，８５：５８７９−５８８３（１９８８）参照）としてＶＬ及びＶＨ領域を形成し得る合成リンカーにより、これらの領域は組換え法を用いて結合され得る。一本鎖抗体も抗体の「抗原結合部分」の範囲に包含される。ジ抗体のような他の形態の一本鎖抗体も包含される。ジ抗体は、ＶＬ及びＶＨドメインが一本のポリペプチド鎖上で発現するが同一鎖上の２つのドメインを対とするには短すぎるリンカーを用いるとこれらのドメインは他の鎖の相補性ドメインと対をなし、２つの抗原結合部位を形成する２価の両特異性抗体である（例えば、Ｐ．Ｈｏｌｌｉｇｅｒら，Ｐｒｏｃ．Ｎａｔｌ．Ａｃａｄ．Ｓｃｉ．ＵＳＡ，９０：６４４４−６４４８（１９９３）；Ｒ．Ｊ．Ｐｏｌｊａｋら，Ｓｔｒｕｃｔｕｒｅ，２：１１２１−１１２３（１９９４）参照）。
【００６９】
更に、抗体またはその抗原結合部分は、抗体もしくは抗体部分と１つ以上の他のタンパク質もしくはペプチドが共有結合的または非共有結合的に結合して形成される大きな免疫付着分子の一部であり得る。免疫付着分子の例には、テトラマーｓｃＦｖ分子を形成するためのストレプトアビジンコア領域の使用（Ｓ．Ｍ．Ｋｉｐｒｉｙａｎｏｖら，Ｈｕｍａｎ  Ａｎｔｉｂｏｄｉｅｓ  ａｎｄ  Ｈｙｂｒｉｄｏｍａｓ，６：９３−１０１（１９９５））及び２価のビオチニル化ｓｃＦｖ分子を形成するためのシステイン残基、マーカーペプチド及びＣ末端ポリヒスチジンタグの使用（Ｓ．Ｍ．Ｋｉｐｒｉｙａｎｏｖら，Ｍｏｌ．Ｉｍｍｕｎｏｌ．，３１：１０４７−１０５８（１９９４））が含まれる。Ｆａｂ断片及びＦ（ａｂ’）２断片のような抗体部分は、全抗体のパパインまたはペプシン消化のような慣用の技術を用いて全抗体から作成され得る。加えて、抗体、抗体部分及び免疫付着分子は本明細書に記載の一般的な組み換えＤＮＡ法を用いて得ることができる。
【００７０】
本明細書中、「中和抗体」（または、ｈＧＯＩ産物活性を中和した抗体）はｈＧＯＩ産物に結合してｈＧＯＩ産物の生物学的活性を阻害する抗体を指すと解される。ｈＧＯＩ産物の生物学的活性の阻害は、ｈＧＯＩ産物の生物学的活性の１つ以上の指標を測定することにより評価され得る。ｈＧＯＩ産物の生物学的活性の指標は当業界で公知のインビボまたはインビトロアッセイにおいて幾つかの標準の１つ以上を用いて評価され得る。
【００７１】
本明細書中、「単離された二重特異性抗体」は異なる抗原特異性を有する他の抗体を実質的に含まない二重特異性抗体（例えば、２つの異なるが構造的に関連する抗原また他の点では非関連抗原の構造的に関連する領域に特異的に結合するが、他の非関連抗原に特異的に結合する抗体を実質的に含まない単離抗体）を指すと解される。更に、単離された二重特異性抗体は他の細胞物質及び／または化学物質を実質的に含まなくてもよい。
【００７２】
「組換え抗体」は組換え手段により作成、発現、生成または単離される抗体、例えば宿主細胞にトランスフェクトされる組換え発現ベクターを用いて発現した抗体；組換えコンビナトリアル抗体ライブラリーから単離した抗体；ヒト免疫グロブリン遺伝子に対してトランスジェニックな動物（例えば、マウス）から単離した抗体（例えば、Ｌ．Ｄ．Ｔａｙｌｏｒら，Ｎｕｃｌ．Ａｃｉｄｓ  Ｒｅｓ．，２０：６２８７−６２９５（１９９２）参照）；ヒト免疫グロブリン遺伝子配列のような特定の免疫グロブリン遺伝子配列を他のＤＮＡ配列にスプライシングすることを含む他の手段により作成、発現、生成または単離される抗体を指す。組換え抗体の例にはキメラ、ＣＤＲ−グラフト化及びヒト化抗体が含まれる。
【００７３】
一実施態様では、本発明はｈＧＯＩ産物の抗原決定基に結合する単離抗体またはその抗原結合部分に関する。好ましくは、抗体は中和抗体である。好ましくは、抗体はモノクローナル及び／またはヒト抗体である。
【００７４】
本明細書中、「表面プラズモン共鳴」は、バイオセンサーマトリックス内のタンパク質濃度の変化を例えばＢＩＡコアシステム（スウェーデン国ウプサラ及びニュージャージー州ピスカタウェィに所在のＰｈａｒｍａｃｉａ  Ｂｉｏｓｅｎｓｏｒ  ＡＢ）を用いて検出することによりリアルタイム生物特異的相互作用を分析し得る光学現象を指す。更なる説明については、Ｕ．Ｊｏｎｓｓｏｎら，Ａｎｎ．Ｂｉｏｌ．Ｃｌｉｎ．，５１：１９−２６（１９９３）；Ｕ．Ｊｏｎｓｓｏｎら，Ｂｉｏｔｅｃｈｎｉｑｕｅｓ，１１：６２０−６２７（１９９１）；Ｂ．Ｊｏｈｎｓｓｏｎら，Ｊ．Ｍｏｌ．Ｒｅｃｏｇｎｉｔ．、８：１２５−１３１（１９９５）；及びＢ．Ｊｏｈｎｓｓｏｎら，Ａｎａｌ．Ｂｉｏｃｈｅｍ．，１９８：２６８−２７７（１９９１）を参照されたい。
【００７５】
本明細書中、「Ｋｏｆｆ」は抗体／抗原複合体からの抗体の解離に関するオフ速度定数を指すと解される。本明細書中、「Ｋｄ」は特定の抗体−抗原相互作用の解離定数を指すと解される。
【００７６】
他の実施態様では、単離抗体またはその抗原結合部分はｈＧＯＩ産物の抗原決定基に結合し、前記した抗体または抗原結合部分は表面プラズモン共鳴で測定して０．１ｓ−１以下のＫｏｆｆ速度定数でｈＧＯＩ産物から解離するかまたは１×１０−６Ｍ以下のＩＣ５０でｈＧＯＩ産物活性を阻害する。或いは、前記した抗体または抗原結合部分は表面プラズモン共鳴で測定して１×１０−２ｓ−１以下のＫｏｆｆ速度定数でｈＧＯＩ産物から解離するかまたは１×１０−７Ｍ以下のＩＣ５０でｈＧＯＩ産物活性を阻害する。或いは、前記した抗体または抗原結合部分は表面プラズモン共鳴で測定して１×１０−３ｓ−１以下のＫｏｆｆ速度定数でｈＧＯＩ産物から解離するかまたは１×１０−８Ｍ以下のＩＣ５０でｈＧＯＩ産物活性を阻害する。或いは、前記した抗体または抗原結合部分は表面プラズモン共鳴で測定して１×１０−４ｓ−１以下のＫｏｆｆ速度定数でｈＧＯＩ産物から解離するかまたは１×１０−９Ｍ以下のＩＣ５０でｈＧＯＩ産物活性を阻害する。或いは、前記した抗体または抗原結合部分は表面プラズモン共鳴で測定して１×１０−５ｓ−１以下のＫｏｆｆ速度定数でｈＧＯＩ産物から解離するかまたは１×１０−１０Ｍ以下のＩＣ５０でｈＧＯＩ産物活性を阻害する。或いは、前記した抗体または抗原結合部分は表面プラズモン共鳴で測定して１×１０−６ｓ−１以下のＫｏｆｆ速度定数でｈＧＯＩ産物から解離するかまたは１×１０−１１Ｍ以下のＩＣ５０でｈＧＯＩ産物活性を阻害する。
【００７７】
（治療用途）
好ましくは、本発明の抗体及び抗体部分はインビトロ及びインビボでｈＧＯＩ産物活性を中和し得る。従って、本発明の抗体及び抗体部分は、例えばｈＧＯＩ産物を含む細胞培養物、或いは本発明の抗体と相互作用するｈＧＯＩ産物を有するヒト患者または他の哺乳動物患者においてｈＧＯＩ産物活性を阻害するのに使用され得る。１実施態様として、本発明は、ｈＧＯＩ産物活性が阻害されるようにｈＧＯＩ産物と本発明の抗体または抗体部分を接触させることを含むｈＧＯＩ産物活性の阻害方法を提供する。例えば、ｈＧＯＩ産物を含んでいるかもしくは含んでいると疑われる細胞培養物では、その細胞培養物に本発明の抗体または抗体部分を添加すると、培養物中のｈＧＯＩ産物活性を阻害し得る。
【００７８】
別の実施態様として、本発明は、ｈＧＯＩ産物活性が害されている疾患を患っている患者におけるｈＧＯＩ産物活性の阻害方法を提供する。本発明は、前記疾患を患っている患者においてｈＧＯＩ産物活性が阻害されるように該患者に対して本発明の抗体または抗体部分を投与することを含む患者におけるｈＧＯＩ産物活性の阻害方法を提供する。好ましくは、患者はヒトである。或いは、患者は本発明の抗体と相互作用するｈＧＯＩ産物を発現する哺乳動物であり得る。更に、患者は（例えば、ｈＧＯＩ産物を投与するかまたはｈＧＯＩ産物導入遺伝子を発現させることにより）ｈＧＯＩ産物を導入した哺乳動物であってもよい。本発明の抗体は治療目的でヒトに投与され得る。更に、本発明の抗体は、動物の治療目的またはヒト疾患の動物モデルとして抗体と相互作用するｈＧＯＩ産物を発現する非ヒト哺乳動物に投与され得る。後者の場合、動物モデルは本発明の抗体の治療効果を評価する（用量及び投与時期を調べる）ために使用され得る。
【００７９】
本明細書中、「ｈＧＯＩ産物活性が害されている疾患」は前記疾患、及び疾患を患っている患者中のｈＧＯＩ産物の存在が該疾患の病態生理に関与しているかまたは該疾患の悪化させる要因であるかまたはそのように疑われる他の疾患を含むと解される。従って、活性が害されている疾患はｈＧＯＩ産物活性を阻害するとその疾患の症状及び／または進行が緩和すると期待される疾患である。前記疾患は、例えば、該疾患を患っている患者の生物学的サンプル中のｈＧＯＩ産物の濃度の増加（例えば、患者の組織、血清、血漿、滑液等中のｈＧＯＩ産物の濃度の増加）から明白であり得る。なお、濃度の増加は例えば上記したように抗−ｈＧＯＩ産物抗体を用いて検出され得る。
【００８０】
本発明の抗体で治療され得る疾患の非限定例には、本発明の抗体の医薬組成物に関する下記セクションに記載されている疾患が含まれる。
【００８１】
（医薬組成物）
本発明はまた、本発明の抗体またはその抗原結合部分及び医薬的に許容され得る担体を含む医薬組成物を提供する。１実施態様では、前記医薬組成物は更に、ｈＧＯＩ産物活性が害されている疾患を治療するための追加の治療薬を少なくとも１つ含み得る。
【００８２】
本発明の抗体及び抗体部分は、患者に投与するのに適した医薬組成物中に配合され得る。通常、医薬組成物は本発明の抗体または抗体部分及び医薬的に許容され得る担体を含む。本明細書中、「医薬的に許容され得る担体」には、生理学的に相容性である溶媒、分散媒体、コーティング、抗細菌・真菌剤、等張及び吸収遅延剤等のすべてが含まれる。医薬的に許容され得る担体の例には、１つ以上の水、食塩液、リン酸緩衝食塩液、デキストロース、グリセロール、エタノール等及びその組合せが含まれる。多くの場合、組成物中に糖、多価アルコール（例えば、マンニトール、ソルビトール）、塩化ナトリウムのような等張剤を配合することが好ましい。医薬的に許容され得る担体は更に、抗体または抗体部分の貯蔵寿命または有効性を高める補助物質、例えば湿潤／乳化剤、保存剤または緩衝剤を少量含み得る。
【００８３】
本発明の抗体及び抗体部分は非経口投与に適した医薬組成物中に配合され得る。好ましくは、抗体または抗体部分は０．１〜２５０ｍｇ／ｍｌの抗体を含む注射用溶液として調製され得る。注射用溶液はフリントまたはアンバーバイアル、アンプルまたは予備充填注射器中に液体または凍結乾燥物を含む剤型であり得る。緩衝液は５．０〜７．０（最適には６．０）のｐＨで１〜５０ｍＭ（最適には５〜１０ｍＭ）のＬ−ヒスチジンであり得る。他の好適な緩衝剤には、コハク酸ナトリウム、クエン酸ナトリウム、リン酸ナトリウム及びリン酸カリウムが含まれるが、これらに限定されない。溶液の毒性を緩和するために塩化ナトリウムを０〜３００ｍＭ（最適には、液体剤型では１５０ｍＭ）の濃度で使用し得る。凍結乾燥剤型には凍結保護物質、原則０〜１０％（最適には、０．５〜１％）のスクロースを配合し得る。他の好適な凍結保護物質にはトレハロース及びラクトースが含まれる。凍結乾燥剤型にはバルク剤、原則１〜１０％（最適には、２〜４％）のマンニトールを配合し得る。液体及び凍結乾燥剤型には安定剤、原則１〜５０ｍＭ（最適には、５〜１０ｍＭ）のＬ−メチオニンを配合し得る。他の好適なバルク剤にはグリシン、アルギニンが含まれ、０〜０．０５％（最適には、０．００５〜０．０１％）のポリソルベート−８０として配合し得る。別の界面活性剤には、ポリソルベート２０及びＢＲＩＪ界面活性剤が含まれるが、これらに限定されない。
【００８４】
本発明の組成物は液体、半固体及び固体剤型のような各種形態を採り得る。前記剤型の例は液剤（注射用及び注入用液剤）、分散剤、懸濁剤、錠剤、ピル剤、粉剤、リポソーム剤及び座剤である。好ましい剤型は意図する投与モード及び治療用途に依存する。通常好ましい組成物は注射用及び注入用液剤の形態であり、例えば他の抗体を用いてヒトを受動免疫するのに適したものに類似の組成物である。好ましい投与モードは非経口、例えば静注、皮下、腹腔内及び筋肉内注射である。好ましい実施態様では、抗体を静脈内注入または注射により投与する。別の好ましい実施態様では、抗体を筋肉内または皮下注射により投与する。
【００８５】
治療用組成物は、通常製造及び貯蔵条件下で無菌且つ安定でなければならない。前記組成物は溶液、ミクロエマルション、分散液、リポソーム、または高い薬物濃度に適した他の規則構造物として処方され得る。注射用滅菌溶液は、所要量の活性化合物（すなわち、抗体または抗体部分）を所要により上記した成分またはその組合せと共に適当な溶媒中に配合し、その後濾過滅菌することにより製造され得る。通常、分散液は基本的分散媒体及び上記の中から所要の他の成分を含む無菌ビヒクル中に活性化合物を配合することにより調製される。注射用滅菌溶液を調製するための滅菌凍結乾燥粉末の場合、予め調製した滅菌濾過溶液を真空乾燥または噴霧乾燥して活性成分と追加の所望成分を含む粉末を生じさせる方法が好ましい。例えば、レシチンのようなコーテイングを使用したり、分散液の場合には所要の粒径を維持したり、界面活性剤を使用することにより、溶液の適正な流動性を維持し得る。注射用組成物中に吸収遅延剤（例えば、モノステアレート塩及びゼラチン）を配合することにより、前記組成物の吸収を遅らすことができる。
【００８６】
本発明の抗体及び抗体部分は当業界で公知の各種方法により投与され得るが、多くの治療用途のために好ましい投与ルート／モードは皮下注射、静脈注射または注入である。当業者には自明のように、投与ルート／モードは所望する結果に応じて変更される。ある実施態様では、インプラント、経皮パッチやマイクロカプセル化デリバリーシステムを含めた徐放性組成物のように迅速放出から化合物を保護する担体と一緒に活性化合物を処方し得る。エチレン−酢酸ビニル、ポリ無水物、ポリグリコール酸、コラーゲン、ポリオルトエステル及びポリアクチック酸(polyactic acid)のような生分解性／生物適合性ポリマーを使用し得る。前記組成物を調製するための多くの方法が特許化されたり、通常当業者に公知である。例えば、「持放性及び徐放性薬物デリバリーシステム(Sustained and Controlled Release Drug Delivery Systems)」，Ｊ．Ｒ．Ｒｏｂｉｎｓｏｎ編，ニューヨークに所在のＭａｒｃｅｌ  Ｄｅｋｋｅｒ，Ｉｎｃ．（１９７８年）発行を参照されたい。
【００８７】
ある実施態様では、本発明の抗体または抗体部分は例えば不活性希釈剤または同化性食用担体と共に経口投与され得る。化合物（及び、所望により他の成分）を硬質もしくは軟質ゼラセンカプセルに封入したり、錠剤に圧縮したり、患者の食事に直接混合してもよい。治療目的で経口投与する場合、化合物は賦形剤と共に配合され、摂取し得る錠剤、バッカル錠剤、トローチ剤、カプセル剤、エリキシル剤、懸濁剤、シロップ剤、ウェーハー等の形態で使用され得る。本発明の化合物を非経口投与以外の投与方法で投与するためには、該化合物の不活化を防止する成分で該化合物を被覆するかまたはこれらを一緒に投与する必要がある場合がある。
【００８８】
補助活性化合物を組成物中に配合してもよい。ある実施態様では、本発明の抗体または抗体部分は、ｈＧＯＩ産物活性が害されている疾患を治療するのに有用な治療剤の少なくとも１つと共に処方／または投与される。例えば、本発明の抗−ｈＧＯＩ産物抗体または抗体部分は他の標的に結合する追加の抗体（例えば、他のサイトカインに結合するかまたは細胞表面分子に結合する抗体）の少なくとも１つと共に処方／または投与される。更に、１つ以上の本発明の抗体は２つ以上の上記した治療剤と配合して使用され得る。前記配合治療では、少量の治療剤を使用するのが有利であり、こうすると単一剤治療に伴って起こり得る毒性または合併症が避けられる。
【００８９】
１実施態様では、本発明の抗体または抗体部分はウイルス、細菌及び真菌感染を伴う各種疾患に関連する症状を治療するために使用される。前記症状には、呼吸器感染（例えば、風邪、鼻炎、咽頭炎）、クループ、細気管支炎、肺炎、発疹（例えば、点状、小胞性、出血性）、髄膜炎、麻痺、脳炎、結膜炎、角膜炎、眼瞼炎、感音難聴、耳下腺炎、心筋炎、心膜炎、筋炎、筋肉痛、性器病巣、精巣炎、副睾丸炎、出血性膀胱炎、腸炎、肝炎、催奇作用、流産、死産、発熱、敗血症、壊死、開口障害、発熱、悪寒、寝汗、食欲不振、体重低下、倦怠感及び皮膚病巣が含まれるが、これらに限定されない。
【００９０】
別の実施態様では、本発明の抗体または抗体部分は免疫及び免疫因子が関わる各種疾患に関連する症状を治療するために使用される。前記疾患には、関節リウマチ、変形性関節症、若年性慢性関節炎、ライム関節炎、乾癬性関節炎、反応性関節炎、脊椎関節炎、全身性エリテマトーデス、クローン病、潰瘍性大腸炎、炎症性腸疾患、インスリン依存性真性糖尿病、甲状腺炎、喘息、アレルギー疾患、乾癬、硬化性皮膚炎、対宿主性移植片病、臓器移植拒絶症、臓器移植に伴う急性または慢性免疫疾患、サルコイドーシス、アテローム性動脈硬化症、播種性血管内凝固、川崎病、グレーヴス病、ネフローゼ症候群、慢性疲労症候群、ウェグナー肉眼腫症、ヘーノホ−シェーンライン紫斑病、腎臓の顕微鏡的脈管炎、慢性活動型肝炎、ブドウ膜炎、敗血性ショック、トキシックショック症候群、敗血症症候群、悪液質、感染症、寄生虫病、後天性免疫不全症候群、急性横断脊髄炎、ハンティングトン舞踏病、パーキンソン病、アルツハイマー病、卒中、原発性胆汁性肝硬炎、溶血性貧血、悪性疾患、心不全、心筋梗塞、アジソン病、散在性、多内分泌腺機能低下症Ｉ型及び多内分泌腺機能低下症ＩＩ型、シュミット症候群、成人（急性）呼吸窮迫症候群、脱毛症、円形脱毛症、セロネガティブ関節症、関節症、ライター病、乾癬性関節症、潰瘍性大腸炎性関節症、腸疾患に基づく滑膜炎、クラミジア、エルシニア及びサルモネラ関連関節症、脊椎関節症、アテローム病／アテローム性動脈硬化症、アトピー性アレルギー、自己免疫性水疱性疾患、尋常性天疱瘡、落葉状天疱瘡、類天疱瘡、線状ＩｇＡ病、自己免疫性溶血性貧血、クームズ陽性溶血性貧血、後天性悪性貧血、若年性悪性貧血、筋肉痛脳炎／ロイヤルフリー病、慢性粘膜皮膚カンジダ症、巨細胞性動脈炎、原発性硬化性肝炎、原因不明の自己免疫性肝炎、後天性免疫不全症候群、後天性免疫不全症関連疾患、Ｃ型肝炎、一般的な免疫不全症（一般的な変動低ガンマグロブリン血症）、拡張型心筋症、女性不妊症、卵巣不機能全、早発性卵巣機能不全、線維性肺疾患、原因不明の線維化肺胞炎、炎症後間質性肺疾患、間質性肺炎、結合組織病関連間質性肺疾患、混合結合組織病関連肺疾患、全身性硬化症関連間質性肺疾患、関節リウマチ関連間質性肺疾患、全身性エリテマトーデス関連肺疾患、皮膚筋炎／多発性筋炎関連肺疾患、シェーグレン病関連肺疾患、強直性脊椎炎関連肺疾患、血管炎性汎発性肺疾患、血鉄素沈着症関連肺疾患、薬物に起因する間質性肺疾患、放射線線維症、閉塞性細気管支炎、慢性好酸球性肺炎、リンパ球性浸潤肺疾患、感染後間質性肺疾患、痛風性関節炎、自己免疫性肝炎、１型自己免疫性肝炎（古典的な自己免疫性またはルポイド肝炎）、２型自己免疫性肝炎（抗−ＬＫＭ抗体肝炎）、自己免疫媒介低血糖症、黒色表皮症を伴うＢ型インスリン耐性、副甲状腺機能低下症、臓器移植に伴う急性免疫疾患、臓器移植に伴う慢性免疫疾患、変形性関節症、原発性硬化性胆管炎、乾癬１型、乾癬２型、特発性白血球減少症、自己免疫性好中球減少症、腎疾患ＮＯＳ、糸球体腎炎、腎臓の顕微鏡的脈管炎、ライム病、円板状エリテマトーデス、特発性またはＮＯＳ男性不妊症、精子自己免疫、多発性硬化症（あらゆるサブタイプ）、交感性眼炎、結合組織病に不随する肺高血圧症、グッドパスチャー症候群、結節性多発性動脈炎の肺症状、急性リウマチ熱、リウマチ様脊椎炎、スティル病、全身性硬化症、シェーグレン症候群、高安病／動脈炎、自己免疫性血小板減少症、特発性血小板減少症、自己免疫性甲状腺病、甲状腺機能亢進症、甲状腺腫の自己免疫性甲状腺低下症（橋本病）、萎縮性自己免疫性甲状腺低下症、原発性粘液浮腫、水晶体起因ブドウ膜炎、原発性脈管炎及び白斑が含まれるが、これらに限定されない。本発明のヒト抗体及び抗体部分は、自己免疫疾患、特にリウマチ様脊椎炎、アレルギー、自己免疫性糖尿病及び自己免疫性ブドウ膜炎を含めた炎症を伴う自己免疫疾患を患っているヒトを治療するために使用され得る。
【００９１】
本発明の抗体またはその抗原結合部分は上記疾患を治療するために単独でまたは組み合わせて使用され得る。本発明の抗体またはその抗原結合部分は単独で、または所与の目的に応じて当業者が選択する追加成分、例えば治療剤と組み合わせて使用され得ると理解されるべきである。例えば、追加成分は、本発明の抗体により治療される疾患または症状を治療するのに有用であると当業界で認識されている治療剤であり得る。追加成分はまた、治療組成物に有利な属性を与える物質、例えば組成物の粘度に影響を与える物質であり得る。
【００９２】
本発明の医薬組成物は本発明の抗体または抗体部分を「治療有効量」または「予防有効量」含み得る。「治療有効量」は必要な投与量及び期間で所望の治療結果を得るのに有効な量を指す。抗体または抗体部分の治療有効量は患者の病状、年令、性別及び体重や患者において所望の応答を引き出す抗体または抗体部分の能力のような因子に従って変更され得る。治療有効量はまた、抗体または抗体部分の有毒または有害作用が治療上有利な効果により補われる量である。「予防有効量」は必要な投与量及び期間で所望の予防結果を得るのに有効な量を指す。予防量は病気の発症前または病気の初期段階で使用されるので、予防有効量は通常治療有効量よりも少ない。
【００９３】
投与レジメは最適の所望応答（例えば、治療または予防応答）を得るように調節可能である。例えば、ボーラスを１回投与してもよく、数個の分割用量を時間をかけて投与してもよく、用量は治療状態の緊急性に応じて比例的に増減され得る。投与を容易にし、用量を均一とするために１回量剤型で非経口組成物を処方することが特に有利である。本明細書中、１回量剤型は治療する哺乳動物患者に対する単位用量として適した物理的に分割されている単位を指す。各単位は所望の治療効果を生ずるように計算された所定量の活性化合物を所要量の医薬担体と組み合わせて含む。本発明の１回量剤型の仕様は（ａ）活性化合物の独自の特性及び達成しようとする特定の治療または予防効果及び（ｂ）患者において感受性を治療するために活性化合物のようなコンパウンディングの業界で固有の限定により特定され、直接依存する。
【００９４】
本発明の抗体または抗体部分の治療または予防有効量は、非限定的には０．１〜２０ｍｇ／ｋｇ、より好ましくは１〜１０ｍｇ／ｋｇである。用量は改善する状態のタイプ及び重篤度により変更される。更に、特定患者の場合、患者の必要性及び組成物を投与する担当者または監督者の専門的判断に従って経時的に調節されるべきであると理解されたい。また、本明細書に記載の用量範囲は単に例であって、本発明の組成物の範囲または実施を限定するものではない。
【００９５】
ＩＩＩ．  抗−ｈＧＯＩ産物抗体の作成方法
本発明の抗−ｈＧＯＩ産物抗体は抗体産生に関する当業界で公知の各種方法の１つを用い、ｈＧＯＩペプチド抗原決定基を含む抗原を用いて作成される。
【００９６】
通常、ｈＧＯＩペプチド産物に結合する抗体を作成するための本発明方法は、ｈＧＯＩ産物の抗原決定基を含む抗原に抗体レパートリーを接触させるステップ及び前記抗体レパートリーの中からｈＧＯＩ産物の抗原決定基に結合する抗体を選択するステップを含む。
【００９７】
１実施態様では、前記抗体レパートリーは内在性ＧＯＩの産物を機能的に発現しない動物中のインビボレパートリーであり、前記方法はｈＧＯＩ産物の抗原決定基を含む抗原を用いて動物を免疫化することを含む。別の実施態様では、前記抗体レパートリーは組換え抗体ライブラリーであり、前記方法はそのライブラリーをｈＧＯＩペプチドの抗原決定基を含む抗原を用いてスクリーニングすることを含む。好ましくは、前記ライブラリーはヒト抗体ライブラリーである。
【００９８】
動物を抗原で免疫化して該抗原に対する特定抗体を生じさせる方法は当業界で公知である。ｈＧＯＩ産物の抗原決定基を含むｈＧＯＩ抗原を動物に投与すると、ポリクローナル抗体が誘発され得、ポリクローナル抗体から（例えば、ポリクローナル抗血清をｈＧＯＩ産物のペプチドを含むカラムに通すことにより）抗原決定基に結合する抗体を選択することにより該抗原決定基に結合する特定抗体が単離され得る。ポリクローナル抗体を誘発するために使用される抗原は無傷（すなわち、完全長の）ｈＧＯＩ産物であっても、問題抗原決定基を含むｈＧＯＩ産物の一部であってもよい。更に、抗原決定基に対するモノクローナル抗体は、上記動物から一般的なハイブリドーマ技術及び例えばｈＧＯＩ産物のアミノ酸を含むペプチドを用いて前記ハイブリドーマをスクリーニングし、ペプチドに対して特異的に結合する抗体を選択することにより問題抗原決定基に特異的に結合する抗体を分泌するハイブリドーマの選択を用いて作成され得る。
【００９９】
組換え抗体ライブラリーも本発明の抗体を作成するためにも使用され得、この抗体ライブラリーは所望の結合特異性を有する抗体を同定するべくスクリーニングされる。組換え抗体ライブラリーのスクリーニング方法は当業界で公知であり、これらには例えばＬａｄｎｅｒらの米国特許第５，２２３，４０９号明細書；Ｋａｎｇらの国際特許出願公開第９２／１８６１９号パンフレット；Ｄｏｗｅｒらの国際特許出願公開第９１／１７２７１号パンフレット；Ｗｉｎｔｅｒらの国際特許出願公開第９２／２０７９１号パンフレット；Ｍａｒｋｌａｎｄの国際特許出願公開第９２／１５６７９号パンフレット；Ｂｒｅｉｔｌｉｎｇらの国際特許出願公開第９３／０１２８８号パンフレット；ＭｃＣａｆｆｅｒｔｙらの国際特許出願公開第９２／０１０４７号パンフレット；Ｇａｒｒａｄらの国際特許出願公開第９２／０９６９０号パンフレット；Ｆｕｃｈｓら，Ｂｉｏ／Ｔｅｃｈｎｏｌｏｇｙ，９：１３７０−１３７２（１９９１）；Ｈａｙら，Ｈｕｍ  Ａｎｔｉｂｏｄ  Ｈｙｂｉｄｏｍａｓ，３：８１−８５（１９９２）；Ｈｕｓｅら，Ｓｃｉｅｎｃｅ，２４６：１２７５−１２８１（１９８９）；ＭｃＣａｆｆｅｒｔｙら，Ｎａｔｕｒｅ，３４８：５５２−５５４（１９９０）；Ｇｒｉｆｆｉｔｈｓら，ＥＭＢＯ  Ｊ，１２：７２５−７３４（１９９３）；Ｈａｗｋｉｎｓら，Ｊ．Ｍｏｌ．Ｂｉｏｌ．，２２６：８８９−８９６（１９９２）；Ｃｌａｃｋｓｏｎら，Ｎａｔｕｒｅ，３５２：６２４−６２８（１９９１）；Ｇｒａｍら，ＰＮＡＳ，８９：３５７６−３５８０（１９９２）；Ｇａｒｒａｄら，Ｂｉｏ／Ｔｅｃｈｎｏｌｏｇｙ，９：１３７３−１３７７（１９９１）；Ｈｏｏｇｅｎｂｏｏｍら，Ｎｕｃ．Ａｃｉｄ  Ｒｅｓ．，１９：４１３３−４１３７（１９９１）；Ｂａｒｂａｓら，ＰＮＡＳ，８８：７９７８−７９８２（１９９１）；及び国際特許出願公開第９７／２９１３１号パンフレットに記載されている方法が含まれ、これらの文献の開示内容はすべて援用により本明細書に含まれるとする。
【０１００】
組換え抗体ライブラリーはｈＧＯＩ産物またはｈＧＯＩ産物の一部を用いて免疫化した被験者由来のものであり得る。或いは、組換え抗体ライブラリーは未処置の被験者、すなわちｈＧＯＩ産物で免疫化されていない被験者由来のもの、例えばｈＧＯＩ産物で免疫化されていないヒト由来のヒト抗体ライブラリーであり得る。本発明の抗体は、ｈＧＯＩ産物の抗原決定基を認識する抗体を選択するように前記抗原決定基を用いて組換え抗体ライブラリーをスクリーニングすることにより選択される。前記スクリーニング／選択方法は当業界で公知であり、例えば前パラグラフに掲げた文献に記載されている。特定のＫｏｆｆ速度定数でｈＧＯＩ産物から解離するようなｈＧＯＩ産物に対して特定の結合親和性を有する本発明の抗体を選択するためには、所望のＫｏｆｆ速度定数を有する抗体を選択するように表面プラズモン共鳴の当業界で公知の方法を使用し得る。特定のＩＣ５０を有するようなｈＧＯＩ産物に対して特定の中和活性を有する本発明の抗体を選択するためには、ｈＧＯＩ産物活性の阻害を評価するための当業界で公知の方法を使用し得る。
【０１０１】
ＩＶ．  抗−ｈＧＯＩ抗体の使用
ｈＧＯＩ産物に結合する能力を前提として、本発明の抗−ｈＧＯＩ抗体またはその一部は、慣用のイムノアッセイ（例えば、酵素結合免疫吸着アッセイ（ＥＬＩＳＡ）、放射免疫アッセイまたは組織免疫組織化学）を用いて例えば血清や血漿のような生物学的サンプル中のｈＧＯＩ産物を検出するために使用され得る。本発明は、生物学的サンプルを本発明の抗体または抗体部分と接触させ、ｈＧＯＩ産物に結合する抗体（または、抗体部分）または非結合抗体（または、抗体部分）を検出することにより前記生物学的サンプル中のｈＧＯＩ産物を検出することを含む生物学的サンプル中のｈＧＯＩ産物の検出方法を提供する、前記抗体は、結合または非結合抗体の検出を容易とするために検出可能物質で直接または間接的に標識される。好適な検出可能物質には各種酵素、補欠分子族、蛍光物質、発光物質及び放射性物質が含まれる。好適な酵素の例には、ホースラディッシュペルオキシダーゼ、アルカリホスファターゼ、β−ガラクトシダーゼまたはアセチルコリンエステラーゼが含まれる。好適な補欠分子族コンプレックスの例には、ストレプトアビジン／ビオチン及びアビジン／ビオチンが含まれる。好適な蛍光物質の例には、ウンベリフェロン、フルオレセイン、フルオレセインイソチオシアネート、ローダミン、ジクロロトリアジニルアミンフルオレセイン、ダンシルクロリドまたはフィコエリトリンが含まれる。発光物質の例には、ルミノールが含まれる。好適な放射性物質の例には、１２５Ｉ、１３１Ｉ、３５Ｓまたは３Ｈが含まれる。
【０１０２】
抗体を標識する代わりに、検出可能物質で標識したｈＧＯＩ産物標準及び非標識抗−ｈＧＯＩ抗体を用いる競合イムノアッセイにより生物学的サンプル中のｈＧＯＩ産物をアッセイすることができる。このアッセイでは、生物学的サンプル、標識ｈＧＯＩ産物標準及び抗−ｈＧＯＩ抗体を混合し、非標識抗体に結合した標識ｈＧＯＩ産物標準の量を測定する。生物学的サンプル中のｈＧＯＩ産物の量は抗−ｈＧＯＩ抗体に結合した標識ｈＧＯＩ産物標準の量に逆比例する。更に、検出される組織は被験者の生体中に存在する組織、例えば（例えば、標識抗体を用いる）組織のインビボイメージングにより映像化される組織であり得る。
【０１０３】
別の実施態様では、本発明のｈＧＯＩ産物抗体は診断目的で、例えばＧＯＩ媒介疾患または障害を診断するために使用され得る。１実施態様では、本発明の抗体は問題抗原を検出するための臨床検査や問題抗原を検出するためのケア検査のようなインビトロでの診断アッセイで使用される。抗体を使用する十分に確立されているインビトロアッセイの例には、ＥＬＩＳＡ、ＲＩＡ、ウェスタンブロッティング等が含まれる。別の実施態様では、本発明の抗体はインビボイメージングテストのようなインビボでの診断アッセイで使用される。例えば、抗体をインビボで検出され得る検出可能物質で標識し、標識した抗体を被験者に投与し、標識した抗体をインビボで検出するとインビボでイメージングすることができる。
【０１０４】
ＧＯＩ媒介疾患または障害を検出するのに適したイメージングには、円二色性、電子顕微鏡やフルオレッセンスのような生物物理学的アッセイ、及びｉｎ  ｓｉｔｕハイブリダイゼーション、免疫組織学、免疫染色、免疫沈降、ウェスタンブロッティング、ＥＬＩＳＡアッセイ等のような免疫学的／生化学的アッセイが含まれる。これらの技術は慣用されており、当業者に公知である（Ｅ．Ｈａｒｌｏｗ及びＤ．Ｌａｎｅ，「抗体：実験マニュアル(Antibodies: A Laboratory Manual)」，ニューヨーク州コールドスプリングハーバーに所在のＣｏｌｄ  Ｓｐｒｉｎｇ  Ｈａｒｂｏｒ  Ｌａｂｏｒａｔｏｒｙ  Ｐｒｅｓｓ（１９８８年）発行；Ｊ．Ｓａｍｂｒｏｏｋ，Ｅ．Ｆ．Ｆｒｉｔｓｃｈ及びＴ．Ｍａｎｉａｔｉｓ，「分子クローニング：実験マニュアル(Molecular Cloning; A Laboratory Manual)」，第２版，ニューヨーク州コールドスプリングハーバーに所在のＣｏｌｄ  Ｓｐｒｉｎｇ  Ｈａｒｂｏｒ  Ｌａｂｏｒａｔｏｒｙ  Ｐｒｅｓｓ（１９８９年）発行；及びＡｕｓｕｂｅｌら，「分子生物学の現在のプロトコル(Current Protocols in Molecular Biology)」，Ｊｏｈｎ  Ｗｉｌｅｙ  ＆  Ｓｏｎｓ（１９９５年）発行）。
【０１０５】
本発明のｈＧＯＩ産物抗体はｈＧＯＩ産物に特異的な結合分子を作成するために使用され得る。ファージ、酵母またはウイルス系を用いるディファレンシャルディスプレイ法は当業者で公知であり、本発明の免疫グロブリンの結合分子及び／または結合パートナーをスクリーニングするために使用され得る（Ｌｉａｎｇら，Ｎｕｃｌｅｉｃ  Ａｃｉｄｓ  Ｒｅｓ．，２２：５７６３−５７６４（１９９４）；Ｉｋｅｄａら，Ｓｃｉｅｎｃｅ，２７６：１５６４−１５６６（１９９７）；Ｔａｙｌｏｒら，Ｊ．Ｂｉｏｌ．Ｃｈｅｍ．，２７１：２０３９９−２０４０５（１９９６））。例えば、前記結合分子を作成するために細胞表面で免疫グロブリンを提示する生物ライブラリーを使用し得る。各生物は、本明細書に記載されているようにｈＧＯＩで免疫化されていないトランスジェニック動物から誘導される配列を有する核酸を含む。動物は免疫化されていないので、血清中に存在するｈＧＯＩ抗原に特異的な免疫グロブリン分子を発現しない。ライブラリーを構成する生物は、該生物の表面で提示される免疫グロブリンの成分部分であるポリペプチド鎖をコードする。その後、ｈＧＯＩ抗原に結合する能力により免疫グロブリンが選択される。
【０１０６】
別の実施態様では、本発明のｈＧＯＩ産物抗体は１つ以上の抗原結合タンパク質ファミリーをコードし得るＤＮＡライブラリーを合成するために使用され得る。ＤＮＡライブラリーの構築については各種方法が当業界で公知である（Ｇｕｂｌｅｒら，Ｇｅｎｅ，２５：２６３−２６９（１９８３）；Ｈａｇｅｎら，ＢｉｏＴｅｃｈｎｉｑｕｅｓ，６：３４０−３４５（１９８８））。例えば、本明細書に記載の１つ以上の非ヒトトランスジェニック動物からの組織標本の１つ以上から複数組の抗原結合タンパク質をコードするＤＮＡを単離し得る。次いで、前記ＤＮＡを、該ＤＮＡの保存領域と類似の配列を有するオリゴヌクレオチドである配列特異的プライマーと混合し得る。配列特異的遺伝子増幅は、フレームワーク抗体発現ベクター内でコードされる重鎖遺伝子の可変領域に増幅ＤＮＡを挿入することにより実施され得る。その後、発現ベクターを免疫グロブリン軽鎖遺伝子を含むベクターと混合し、両方のベクターを細胞にトランスフェクトすると、軽鎖免疫グロブリンと重鎖免疫グロブリンの両方を生ずる細胞ライブラリーが構築される。
【０１０７】
本明細書中に引用されている文献、特許明細書及び特許出願明細書を含めたすべての参考文献の開示内容は援用により本明細書に含まれるとする。
（実施例)
【０１０８】
限定的に解釈されるべきではない下記実施例により本発明を更に説明する。
【０１０９】
材料及び方法
特記しない限り、本発明を実施する際には通常、動物育種、化学、分子生物学、組換えＤＮＡ法、ＰＣＲ法、免疫学、微生物学または細胞培養に関して当業界の技術の範囲内であり、文献に説明されている慣用技術を用いる。例えば、Ｓａｍｂｒｏｏｋ，Ｆｒｉｔｓｃｈ及びＭａｎｉａｔｉｓ，「分子クローニング(Molecular Cloning)」，Ｃｏｌｄ  Ｓｐｒｉｎｇ  Ｈａｒｂｏｒ  Ｌａｂｏｒａｔｏｒｙ  Ｐｒｅｓｓ（１９８９年）発行；ＤＮＡクローニング( DNA Cloning)」，第１巻及び第２巻，Ｄ．Ｎ．Ｇｌｏｖｅｒ編（１９８５年）発行；「ＰＣＲハンドブック  核酸化学における現在のプロトコル(PCR Handbook Current Protocols in Nucleic Acid Chemistry)」，Ｂｅａｕｃａｇｅ編，Ｊｏｈｎ  Ｗｉｌｅｙ＆  Ｓｏｎｓ（１９９９年）発行；「抗体：実験マニュアル(Antibodies: A Laboratory Manual)」，Ｈａｒｌｏｗら，Ｃ．Ｓ．Ｈ．Ｌ．Ｐｒｅｓｓ，Ｐｕｂ．（１９９９年）発行；「決定的細菌学のベルギーマニュアル(Bergey's Manual of Determinative Bacteriology)」，Ｋｒｅｉｇら，Ｗｉｌｌｉａｍｓ  ａｎｄ  Ｗｉｌｋｉｎｓ（１９８４年）発行；及び「分子生物学の現在のプロトコル(Current Protocols in Molecular Biology)」，Ａｕｓｕｂｅｌら編，Ｗｉｌｅｙ  Ｉｎｔｅｒｓｃｉｅｎｃｅ（１９９８年）発行を参照されたい。
【０１１０】
ノックアウトマウス及びトランスジェニックマウスの作製に関する別の技術に関しては、例えばｖｏｎ  Ｍｅｌｃｈｎｅｒら，Ｇｅｎｅｓ  Ｄｅｖ．，１９９２  ６（６）：９１９−２７（１９９２）；Ｇｏｓｓｌｅｒら，Ｓｃｉｅｎｃｅ，２４４（４９０３）：４６３−５（１９８９）；Ｄｅｎｇら，Ｔｒａｎｓｇｅｎｉｃ  Ｒｅｓ．，４（４）：２６４−９（１９９５）；Ｆｒｉｅｄｒｉｃｈら，Ｇｅｎｅｓ  Ｄｅｖ．，５（９），１５１３−２３（１９９１）；Ｓｏｒｉａｎｏら，Ｊ．Ｖｉｒｏｌ．，６５（５）：２３１４−９（１９９１）；Ｓｋａｒｎｅｓら，Ｇｅｎｅｓ  Ｄｅｖ．，６（６）：９０３−１８（１９９２）；Ｊｏｙｎｅｒら，Ｎａｔｕｒｅ，３３８（６２１１）：１５３−６（１９８９）；Ｃａｐｅｃｃｈｉら，Ｓｃｉｅｎｃｅ，２４４（４９１０），１２８８−９２（１９８９）；Ｓａｕｅｒ，Ｍｅｔｈ．Ｅｎｚ．，１４（４）：３８１−９２（１９９８）；及びＲｏｓｓｉら，Ｃｕｒｒ．Ｏｐｉｎ．Ｂｉｏｔｅｈｎｏｌ．，９（５）：４５１−６（１９９８）を参照されたい。
【０１１１】
特記しない限り、以下の実施例では下記材料及び方法を使用した。
【実施例１】
【０１１２】
ヒトＩｇ分子を発現する内在性Ｉｇノックアウトマウスの作製方法
ヒトＩｇ導入遺伝子を有するノックアウト（ＫＯ）マウスを作製するために各種方法を採用することができる。幾つかの例及びその使用を以下に示す。
【０１１３】
（Ａ）  ノックアウトマウスとトランスジェニックマウスの異種交配
この方法は、問題遺伝子及びヒトＩｇ導入遺伝子が別々の染色体上にあるときに使用される。ノックアウトＩｇＧ遺伝子を有するマウスをヒトＩｇＧ  Ｈ鎖及びＬ鎖に対する導入遺伝子を発現するマウスと交配させる。次いで、ヒトＩｇＧ遺伝子に対してヘテロ接合性の第一代子孫（Ｆ１）を交配させて、第二代子孫（Ｆ２）を生じさせる。これらの子孫には、それぞれ１／１６の頻度でＨ鎖及びＬ鎖に対してホモ接合性のマウスが含まれている。
【０１１４】
ステップ１：
（−／−，マウスＩｇＧ  ＫＯマウス）×（＋／＋，マウスヒトＨ及びＬ  κ鎖ＩｇＧ）
Ｆ１＝（−／＋，ｍｕ／ｈｕ  ＩｇＧ）×（−／＋，ｍｕ／ｈｕＩｇＧ）、
Ｆ２＝−／−，１／１６の頻度でｈｕ  Ｈ鎖／ｈｕ  Ｈ鎖  Ｉｇ（Ｆ２Ｈ：ＫＯ／ｈｕＨＩｇＧ）、
Ｆ２＝−／−，１／１６の頻度でｈｕ  Ｌ鎖／ｈｕ  Ｌ鎖  Ｉｇ（Ｆ２Ｌ：Ｋo／ｈｕＬＩｇＧ）。
【０１１５】
Ｆ２ＨマウスはマウスＬ鎖を有し、ヒト重鎖及びマウス軽鎖を有するキメラｍＡｂを産生する。このｍＡｂ由来のヒト重鎖はファージディスプレイ法を用いて相補的ヒト軽鎖を選択するためにインビトロで使用される。また、Ｆ２Ｌマウス由来のキメラｍＡｂはファージディスプレイ法を用いて相補的ヒト重鎖を選択するためにインビトロで使用される。
【０１１６】
第２の交配ステップにより、ヒトＨ鎖及びヒトＬ鎖ＩｇＧ導入遺伝子を発現するマウスＩｇＧノックアウトを有するマウスが作製される。Ｈ鎖またはＬ鎖に対してホモ接合性のＦ２マウスをそれぞれＬ鎖またはＨ鎖に対してホモ接合性のＦ２マウスと交配させる。ヒトＩｇＧ  Ｈ鎖またはＬ鎖に対してホモ接合性の第三代子孫（Ｆ３）が１／１６の頻度で作製される。第３ステップでは、ホモ接合性のヒトＨ鎖及びヒトＬ鎖ＩｇＧトランスジェニックマウスを互いに交配させると、いずれもヒトＨ鎖及びヒトＬ鎖導入遺伝子を発現する第四代子孫（Ｆ４）が生ずる。このマウスは完全ヒトｍＡｂを産生する。
【０１１７】
ステップ２：
Ｆ２Ｈ×Ｆ２Ｌ
Ｆ３＝−／−，１／１６の頻度でｈｕ  Ｈ鎖，ｈｕ  Ｌ鎖Ｉｇ。
【０１１８】
ステップ３：
Ｆ３×Ｆ３
Ｆ４＝−／−，１００％の頻度でｈｕ  Ｈ鎖，ｈｕ  Ｌ鎖Ｉｇ。
【０１１９】
（Ｂ）  トランスジェニックマウスにおける問題遺伝子の直接欠失
標的は相同的組換え、ランダム挿入、化学的突然変異またはアンチセンスＲＮＡの発現のような方法を用いても不活化またはノックアウトされる。更に、標的遺伝子は上記方法とｃｒｅ／Ｌｏｘ系または誘導遺伝子発現系を組み合わせることによって不活化またはノックアウトされる。
【０１２０】
上記方法は、問題遺伝子及びヒトＩｇ導入遺伝子が同じ染色体上にあるときに採用され得る。前記ＫＯ−Ｔｇマウスは問題タンパク質に耐性であり、免疫化すると問題タンパク質のすべての領域に対する高親和性の完全ヒト抗体を生ずる。
【実施例２】
【０１２１】
ＩＬ−１８ノックアウトマウスを用いるマウス−抗−マウスＩＬ−１８  ｍＡｂの産生方法
マウスＩＬ−１８を用いるＩＬ−１８ノックアウトノウスの免疫化を以下のように実施した。マウスＩＬ−１８エマルション（１２５μｇ／ｍｌ）を完全フロイントアジュバント（ＣＦＡ）及び不完全フロイントアジュバント（ＩＣＦＡ）中で調製した。０日目に、１５０ｕｌ／マウスのＣＦＡエマルションを３カ所に（各足蹠に５０ｕｌ及び尾基底に５０ｕｌ，ＩＤ＝約１８ｕｇ／マウス）注射してマウスを免疫化した。２１日目及び３５日目に、尾基底にマウスＩＬ−１８（約１２ｕｇ／マウス）を含むＩＣＦＡエマルションを１００ｕｌ  ＩＤで注射してマウスを追加免疫化した。
【０１２２】
３７日目に、対照（免疫も追加免疫も実施していない）Ｃ５７ＢＬ／６Ｊマウス及び５匹の免疫／追加免疫したＩＬ−１８ノックアウトマウスから血清を採取して、抗−マウスＩＬ−１８抗体の抗体価を測定した。８５日目に、リン酸緩衝食塩液（１００ｕｌ）中の１０ｕｇ／マウスのＩＬ−１８を静脈注射して動物を追加免疫した。８９日目に、血清を調べるために動物を放血し、ＳＰ２／Ｏミエローマ細胞との融合のために脾臓及びリンパ節を採取した。融合は当業者に公知の一般的方法により実施した。
【０１２３】
融合から２週間後、マウスＩＬ−１８に対するモノクローナル抗体を産生するハイブリドーマをＥＬＩＳＡアッセイを用いて選択した。次いで、マウス脾細胞ベースのアッセイにおいてハイブリドーマのマウスＩＬ−１８機能を中和する能力について調べた。陽性のハイブリドーマを選択し、サブクローニングし、発達させた。
【０１２４】
当業者は、本明細書に記載されている本発明の特定実施態様に対する多くの均等物を認識したり簡単な実験を用いて確認することができる。前記均等物は請求の範囲に包含されると意図される。
【国際調査報告】
2005508608.tif 000002
2005508608.tif 000003